(57)【要約】  本発明に係る加湿清浄装置は、水が保存される水槽と、前記水槽のうち、少なくとも一部を形成し、外部から内部を透視して見ることができる材質で形成されたビジュアルボディと、前記水槽に配置され、前記水槽に保存された水を内部に吸入した後、上側に揚水し、前記揚水された水を噴射するウォータリングハウジングと、前記ウォータリングハウジングを回転させるウォータリングモータと、前記ウォータリングハウジングに配置され、前記揚水された水が噴射される噴射口と、前記水槽に配置され、前記水槽外部の空気が内部に流動するエアーウォッシュ流入口と、前記水槽に配置され、前記水槽内部の空気が外部に流動する吐出口とを備え、前記ウォータリングハウジングが回転されるとき、前記噴射口から噴射された水は、所定の軌跡を形成し、前記ビジュアルボディ内側面に当たり、前記エアーウォッシュ流入口を通過する前に前記水槽の外側で流動する空気は、アウターメインストリームを形成し、前記エアーウォッシュ流入口を通過した空気は、前記水槽の内部でインナーメインストリームを形成し、前記インナーメインストリームは、前記噴射された水の軌跡を通過して前記吐出口に流動する。本発明に係る加湿清浄装置は、ウォータリングのための構成、加湿のための構成、レインビューのための構成、及び上部給水のための構成が順次積層されるので、各機能等が有機的に連結されて作動され、コネクタストリームの方向切換を最小化して、エアーウォッシュ流入口に流入する空気の流動抵抗を最小化できるという長所がある。  【選択図】図３１
2018532096.tif 000002
【特許請求の範囲】
【請求項１】
加湿清浄装置であって、
水が保存される水槽と、
前記水槽のうち、少なくとも一部を形成し、外部から内部を透視して見ることができる材質で形成されたビジュアルボディと、
前記水槽に配置され、前記水槽に保存された水を内部に吸入した後、上側に揚水し、前記揚水された水を噴射するウォータリングハウジングと、
前記ウォータリングハウジングを回転させるウォータリングモータと、
前記ウォータリングハウジングに配置され、前記揚水された水が噴射される噴射口と、
前記水槽に配置され、前記水槽外部の空気が内部に流動するエアーウォッシュ流入口と、
前記水槽に配置され、前記水槽内部の空気が外部に流動する吐出口と、を備え、
前記ウォータリングハウジングが回転されるとき、前記噴射口から噴射された水は、所定の軌跡を形成し、前記ビジュアルボディ内側面に当たり、
前記エアーウォッシュ流入口を通過する前に前記水槽の外側で流動する空気は、アウターメインストリームを形成し、
前記エアーウォッシュ流入口を通過した空気は、前記水槽の内部でインナーメインストリームを形成し、
前記インナーメインストリームは、前記噴射された水の軌跡を通過して前記吐出口に流動する、加湿清浄装置。
【請求項２】
前記インナーメインストリームは、前記噴射された水の軌跡と交差するように形成された、請求項１に記載の加湿清浄装置。
【請求項３】
前記水の軌跡は、水平方向に形成され、前記インナーメインストリームは、上下方向に形成される、請求項１に記載の加湿清浄装置。
【請求項４】
前記アウターメインストリームは、上下方向に形成される、請求項１に記載の加湿清浄装置。
【請求項５】
前記アウターメインストリームとインナーメインストリームとの流動方向は、同じ方向に向かうように形成された、請求項１に記載の加湿清浄装置。
【請求項６】
前記エアーウォッシュ流入口は、前記アウターメインストリーム及びインナーメインストリームを連結するコネクトストリームを形成し、
前記コネクトストリームは、前記アウターメインストリームの流動方向に対して０度〜９０度の夾角を形成する、請求項５に記載の加湿清浄装置。
【請求項７】
前記水槽の内部に配置され、前記エアーウォッシュ流入口をカバーする水槽加湿媒体をさらに備え、
前記水槽加湿媒体は、前記水槽に保存された水と離間し、前記噴射口から噴射された水は、前記ビジュアルボディに当たった後、下方へ流れ落ちて前記水槽加湿媒体を濡らし、
前記コネクトストリームは、前記水槽加湿媒体を通過しながら加湿される、請求項６に記載の加湿清浄装置。
【請求項８】
前記水の軌跡は、前記エアーウォッシュ流入口より高く位置する、請求項１に記載の加湿清浄装置。
【請求項９】
前記噴射口は、前記ビジュアルボディを介して見ることができる位置に配置された、請求項１に記載の加湿清浄装置。
【請求項１０】
前記ビジュアルボディは、前記エアーウォッシュ流入口より高く位置する、請求項１に記載の加湿清浄装置。
【請求項１１】
前記吐出口は、前記エアーウォッシュ流入口の上部に配置され、
前記メインストリームは、下側から上側に流動した後、前記吐出口に吐出される、請求項１に記載の加湿清浄装置。
【請求項１２】
前記メインストリームは、前記ビジュアルボディの内側面に沿って流動する、請求項１に記載の加湿清浄装置。
【請求項１３】
前記ウォータリングハウジングが回転されるとき、前記噴射口から噴射された水は、前記ビジュアルボディの内側面に噴射ラインを形成する、請求項１に記載の加湿清浄装置。
【請求項１４】
前記噴射口から噴射された水の軌跡は、前記水槽の内側から外側に向かうように形成され、前記エアーウォッシュ流入口を通過する空気の流動方向は、前記水槽の外側から内側に向かうように形成された、請求項１に記載の加湿清浄装置。
【請求項１５】
前記水槽の上部に配置されるトップカバーアセンブリをさらに備え、
前記トップカバーアセンブリは、
前記水槽に水を提供する給水流路と、前記メインストリームに沿って流動した空気を吐出させる吐出流路と、を備え、
前記給水流路を介して供給された水の流動方向と前記メインストリームの流動方向とは反対に形成された、請求項１に記載の加湿清浄装置。
【請求項１６】
前記給水流路を介して供給された水は、前記ウォータリングハウジングの上部に落下し、
前記ウォータリングハウジングが回転されるとき、前記落下した水は、所定の軌跡を形成し、前記ビジュアルボディの内側面に当たり、
前記メインストリームは、前記落下した水の軌跡を通過して前記吐出口に流動する、請求項１５に記載の加湿清浄装置。
【請求項１７】
前記落下した水の軌跡は、前記噴射された水の軌跡より高く位置する、請求項１６に記載の加湿清浄装置。
【請求項１８】
前記ウォータリングハウジングの外側に配置されたウォータリング羽根をさらに備え、
前記ウォータリングハウジングが回転されるとき、前記噴射された水または前記落下した水のうちの少なくとも何れか一つは、前記ウォータリング羽根に当たって飛散する、請求項１６に記載の加湿清浄装置。
【請求項１９】
前記飛散した水の軌跡は、前記インナーメインストリームと交差される、請求項１８に記載の加湿清浄装置。
【請求項２０】
前記水槽の内部に配置され、前記エアーウォッシュ流入口をカバーする水槽加湿媒体をさらに備え、
前記水槽加湿媒体は、前記水槽に保存された水と離間し、前記噴射口から噴射された水は、前記ビジュアルボディに当たった後、下方へ流れ落ちて前記水槽加湿媒体を濡らす、請求項１に記載の加湿清浄装置。
【発明の詳細な説明】
【技術分野】
【０００１】
本発明は、加湿清浄装置に関するものである。
【背景技術】
【０００２】
空気調和装置は、空気の温度を制御するエアコン、空気の異物を除去して清浄度を維持させる空気清浄器、空気中に水分を提供する加湿器、空気中の水分を除去する除湿機などがある。
【０００３】
従来の加湿器は、振動板で水を霧化させて空気中に吐出する振動式及び加湿フィルタで自然蒸発させる自然蒸発式に区分される。
【０００４】
前記自然蒸発式加湿器は、駆動力を利用してディスクを回転させ、空気中のディスク表面で水が自然蒸発されるディスク式加湿器と、水で濡らした加湿媒体において流動する空気により自然蒸発される加湿フィルタ式加湿器とに区分される。
【０００５】
従来の加湿器は、加湿過程で流動する空気のうちの一部がフィルタでろ過された。
【０００６】
しかし、従来の加湿器は、湿度の低い季節にのみ使用され、空気清浄器は、加湿機能がないため、２つの製品を備えなければならないという問題点があった。
【０００７】
また、従来の加湿器は、加湿機能が主な機能であり、空気を浄化する空気清浄機能は、付加的な機能であるため、空気清浄機能が微弱な問題点があった。
【０００８】
また、従来の加湿器または空気清浄器は、加湿または空気清浄を区分して別に作動させることができないという問題点があった。
【発明の概要】
【発明が解決しようとする課題】
【０００９】
本発明は、加湿機能及び空気清浄機能を独立的に作動させることができる加湿清浄装置を提供することにその目的がある。
【００１０】
本発明は、加湿流路に結ばれた水滴をユーザが目で確認し、加湿がなされる状態を直観的に確認できる加湿清浄装置を提供することにその目的がある。
【００１１】
本発明は、様々な方法でレインビューを演出できる加湿清浄装置を提供することにその目的がある。
【００１２】
本発明は、ウォータリングのために供給される水のうちの一部を飛散させてレインビューを演出できる加湿清浄装置を提供することにその目的がある。
【００１３】
本発明は、ウォータリングの際、噴射された水のうちの一部を、回転されるウォータリング羽根を介して再度飛散させてレインビューを演出できる加湿清浄装置を提供することにその目的がある。
【００１４】
本発明は、レインビューを演出する過程で陰イオンを生成させることができる加湿清浄装置を提供することにその目的がある。
【００１５】
本発明は、エアーウォッシュモジュール内部でウォータリングまたはレインビューが作動されるとき、空気流動を最適化できる加湿清浄装置を提供することにその目的がある。
【００１６】
本発明は、ウォータリング、加湿、レインビュー、上部給水が効果的に実現され得る加湿清浄装置を提供することにその目的がある。
【００１７】
本発明の課題は、以上で言及した課題に制限されず、言及されていないさらに他の課題は、下記の記載から当業者に明確に理解され得るであろう。
【課題を解決するための手段】
【００１８】
本発明に係る加湿清浄装置は、ウォータリング−加湿−レインビュー−上部給水のための効率的な配置構造を提供する。
【００１９】
本発明に係る加湿清浄装置は、水が保存される水槽と、前記水槽のうち、少なくとも一部を形成し、外部から内部を透視して見ることができる材質で形成されたビジュアルボディと、前記水槽に配置され、前記水槽に保存された水を内部に吸入した後、上側に揚水し、前記揚水された水を噴射するウォータリングハウジングと、前記ウォータリングハウジングを回転させるウォータリングモータと、前記ウォータリングハウジングに配置され、前記揚水された水が噴射される噴射口と、前記水槽に配置され、前記水槽外部の空気が内部に流動するエアーウォッシュ流入口と、前記水槽に配置され、前記水槽内部の空気が外部に流動する吐出口とを備え、前記ウォータリングハウジングが回転されるとき、前記噴射口から噴射された水は、所定の軌跡を形成し、前記ビジュアルボディ内側面に当たり、前記エアーウォッシュ流入口を通過する前に前記水槽の外側で流動する空気は、アウターメインストリームを形成し、前記エアーウォッシュ流入口を通過した空気は、前記水槽の内部でインナーメインストリームを形成し、前記インナーメインストリームは、前記噴射された水の軌跡を通過して前記吐出口に流動する。
【００２０】
前記インナーメインストリームは、前記噴射された水の軌跡と交差するように形成されることができる。
【００２１】
前記水の軌跡は、水平方向に形成され、前記インナーメインストリームは、上下方向に形成されることができる。
【００２２】
前記アウターメインストリームは、上下方向に形成されることができる。
【００２３】
前記アウターメインストリームとインナーメインストリームとの流動方向は、同じ方向に向かうように形成されることができる。
【００２４】
前記エアーウォッシュ流入口は、前記アウターメインストリーム及びインナーメインストリームを連結するコネクトストリームを形成し、前記コネクトストリームは、前記アウターメインストリームの流動方向に対して０度〜９０度の夾角を形成できる。
【００２５】
前記水槽の内部に配置され、前記エアーウォッシュ流入口をカバーする水槽加湿媒体をさらに備え、前記水槽加湿媒体は、前記水槽に保存された水と離間し、前記噴射口から噴射された水は、前記ビジュアルボディに当たった後、下方へ流れ落ちて前記水槽加湿媒体を濡らし、前記コネクトストリームは、前記水槽加湿媒体を通過しながら加湿されることができる。
【００２６】
前記水の軌跡は、前記エアーウォッシュ流入口より高く位置し得る。
【００２７】
前記噴射口は、前記ビジュアルボディを介して見ることができる位置に配置されることができる。
【００２８】
前記ビジュアルボディは、前記エアーウォッシュ流入口より高く位置し得る。
【００２９】
前記吐出口は、前記エアーウォッシュ流入口の上部に配置され、前記メインストリームは、下側から上側に流動した後、前記吐出口に吐出されることができる。
【００３０】
前記メインストリームは、前記ビジュアルボディの内側面に沿って流動することができる。
【００３１】
前記ウォータリングハウジングが回転されるとき、前記噴射口から噴射された水は、前記ビジュアルボディの内側面に噴射ラインを形成できる。
【００３２】
前記噴射口から噴射された水の軌跡は、前記水槽の内側から外側に向かうように形成され、前記エアーウォッシュ流入口を通過する空気の流動方向は、前記水槽の外側から内側に向かうように形成されることができる。
【００３３】
前記水槽の上部に配置されるトップカバーアセンブリをさらに備え、前記トップカバーアセンブリは、前記水槽に水を提供する給水流路と、前記メインストリームに沿って流動した空気を吐出させる吐出流路とを備え、前記給水流路を介して供給された水の流動方向と前記メインストリームの流動方向とは反対に形成されることができる。
【００３４】
前記給水流路を介して供給された水は、前記ウォータリングハウジングの上部に落下し、前記ウォータリングハウジングが回転されるとき、前記落下した水は、所定の軌跡を形成し、前記ビジュアルボディの内側面に当たり、前記メインストリームは、前記落下した水の軌跡を通過して前記吐出口に流動することができる。
【００３５】
前記落下した水の軌跡は、前記噴射された水の軌跡より高く位置し得る。
【００３６】
前記ウォータリングハウジングの外側に配置されたウォータリング羽根をさらに備え、前記ウォータリングハウジングが回転されるとき、前記噴射された水または前記落下した水のうち、少なくともいずれか１つは、前記ウォータリング羽根に当たって飛散することができる。
【００３７】
前記飛散した水の軌跡は、前記インナーメインストリームと交差されることができる。
【００３８】
前記水槽の内部に配置され、前記エアーウォッシュ流入口をカバーする水槽加湿媒体をさらに備え、前記水槽加湿媒体は、前記水槽に保存された水と離間し、前記噴射口から噴射された水は、前記ビジュアルボディに当たった後、下方へ流れ落ちて前記水槽加湿媒体を濡らすことができる。
【発明の効果】
【００３９】
本発明に係る加湿清浄装置は、次のような効果が１つあるいはそれ以上ある。
【００４０】
第１に、様々な方法でレインビューを演出できるという長所がある。
【００４１】
第２に、ウォータリングまたはレインビューが作動されるとき、エアーウォッシュモジュールの周りの空気流動を最適化して、空気の流動抵抗を最小化できるという長所がある。
【００４２】
第３に、ウォータリングのための構成、加湿のための構成、レインビューのための構成、及び上部給水のための構成が順次積層されるので、各機能等が有機的に連結されて作動されるという長所がある。
【００４３】
第４に、コネクタストリームの方向切換を最小化して、エアーウォッシュ流入口に流入する空気の流動抵抗を最小化できるという長所がある。
【００４４】
第５に、吐出ストリームの方向切換を最小化して、吐出流路に吐出される空気の流動抵抗を最小化できるという長所がある。
【００４５】
本発明の効果は、以上で言及した効果に制限されず、言及されていないさらに他の効果は、請求の範囲の記載から当業者に明確に理解され得るであろう。
【図面の簡単な説明】
【００４６】
【図１】本発明の第１の実施形態に係る加湿清浄装置の斜視図である。
【図２】図１の分解斜視図である。
【図３】図１の分解正面図である。
【図４】図３の分解断面図である。
【図５】本発明の第１の実施形態に係る加湿清浄装置の空気流れが示された例示図である。
【図６】図２に示されたエアーウォッシュモジュールからトップカバーアセンブリが分離された斜視図である。
【図７】図６に示されたトップカバーアセンブリ及び吐出加湿媒体ハウジングの分離斜視図である。
【図８】図４に示されたエアーウォッシュモジュールの断面図である。
【図９】図８に示されたＧの拡大図である。
【図１０】図４に示されたウォータリングハウジングの設置状態が示された斜視図である。
【図１１】図１０の正面図である。
【図１２】図１１のＭ−Ｍに沿って切断された断面図である。
【図１３】図１２の平面図である。
【図１４】図１０に示されたウォータリングハウジングの分解斜視図である。
【図１５】図１４の下側から見た斜視図である。
【図１６】図１４の正面図である。
【図１７】図１４のＮ−Ｎに沿って切断された断面図である。
【図１８】図７に示された吐出加湿媒体ハウジングの斜視図である。
【図１９】図１８の下側から見た斜視図である。
【図２０】図１８の正面図である。
【図２１】図２０のＡ−Ａに沿って切断された断面図である。
【図２２】図２１のＢが示された拡大図である。
【図２３】図１８のＣが示された拡大図である。
【図２４】図１８の分解斜視図である。
【図２５】図２４の下側から見た斜視図である。
【図２６】図２４の正面図である。
【図２７】図２６のＥ−Ｅに沿って切断された断面図である。
【図２８】図２４のＤが示された拡大図である。
【図２９】図２７のＦが示された拡大図である。
【図３０】噴射口を介しての噴射ラインが表示された例示図である。
【図３１】エアーウォッシュモジュールの空気流動が示された例示図である。
【図３２】第２−１の噴射口を介して噴射された水の軌跡が示された例示図である。
【図３３】第２−２の噴射口を介して噴射された水の軌跡が示された例示図である。
【図３４】上部給水の際、ウォータリングハウジングによる水の軌跡が示された例示図である。
【図３５】上部給水の際、ウォータリング羽根による水の軌跡が示された例示図である。
【発明を実施するための形態】
【００４７】
本発明の利点及び特徴、そして、それらを達成する方法は、添付される図面とともに詳細に後述されている実施形態を参照すれば明確になるであろう。しかし、本発明は、以下において開示される実施形態等に限定されるものではなく、互いに異なる様々な形態で実現されることができ、ただし、本実施形態等は、本発明の開示が完全なようにし、本発明の属する技術分野における通常の知識を有する者に発明の範疇を完全に知らせるために提供されるものであり、本発明は、請求項の範疇により定義されるだけである。明細書全体にわたって同一参照符号は、同一構成要素を指す。
【００４８】
以下、本発明の実施形態を添付された図面を参照して詳細に説明する。
【００４９】
図１は、本発明の第１の実施形態に係る加湿清浄装置の斜視図であり、図２は、図１の分解斜視図であり、図３は、図１の分解正面図であり、図４は、図３の分解断面図であり、図５は、本発明の第１の実施形態に係る加湿清浄装置の空気流れが示された例示図である。
【００５０】
本実施形態に係る加湿清浄装置は、エアークリーンモジュール１００及び前記エアークリーンモジュール１００上側に据え置かれるエアーウォッシュモジュール２００を備える。
【００５１】
前記エアークリーンモジュール１００は、外部空気を吸入した後にろ過し、ろ過空気を前記エアーウォッシュモジュール２００に提供する。前記エアーウォッシュモジュール２００は、前記ろ過空気の供給を受けて水分を提供する加湿を行い、加湿空気を外部に吐出する。
【００５２】
前記エアーウォッシュモジュール２００は、水が保存される水槽３００を備える。前記水槽３００は、前記エアーウォッシュモジュール２００が分離されるとき、前記エアークリーンモジュール１００から分離可能である。前記エアーウォッシュモジュール２００は、エアークリーンモジュール１００上に据え置かれる。
【００５３】
ユーザは、前記エアーウォッシュモジュール２００をエアークリーンモジュール１００から分離することができ、分離されたエアーウォッシュモジュール２００を掃除することができる。ユーザは、エアーウォッシュモジュール２００が分離されたエアークリーンモジュール１００内部を掃除することもできる。前記エアーウォッシュモジュール２００が分離された場合、前記エアークリーンモジュール１００の上面がユーザに開放される。
【００５４】
前記エアークリーンモジュール１００は、後述するフィルタアセンブリ１０を備え、ベースボディ１１０からフィルタアセンブリ１０を分離した後、掃除することができる。
【００５５】
ユーザは、前記エアーウォッシュモジュール２００に水を供給できる。前記エアーウォッシュモジュール２００には、外部から前記水槽３００へ水を供給できる給水流路１０９が形成される。
【００５６】
前記給水流路１０９は、空気が吐出される吐出流路１０７と分離されて構成される。前記給水流路１０９は、いつでも前記水槽に水を供給できるように構成される。例えば、前記エアーウォッシュモジュール２００が作動中であるときにも給水流路を介して水を供給できる。例えば、前記エアーウォッシュモジュール２００がエアークリーンモジュール１００に結合された状態でも給水流路を介して水を供給できる。例えば、前記エアーウォッシュモジュール２００がエアークリーンモジュール１００から分離される状態であるときにも給水流路を介して水を供給できる。
【００５７】
前記エアークリーンモジュール１００及びエアーウォッシュモジュール２００は、連結流路１０３を介して連結される。前記エアーウォッシュモジュール２００が分離可能であるため、前記連結流路１０３は、エアークリーンモジュール１００及びエアーウォッシュモジュール２００に分散されて配置される。前記エアーウォッシュモジュール２００がエアークリーンモジュール１００に据え置かれるとき、初めてエアーウォッシュモジュール２００の流路とエアークリーンモジュール１００の流路とが連結流路１０３を介して互いに連通される。
【００５８】
前記エアークリーンモジュール１００に形成された連結流路をクリーン連結流路１０４と定義し、前記エアーウォッシュモジュール２００に形成された連結流路を加湿連結流路１０５と定義する。
【００５９】
前記エアークリーンモジュール１００及びエアーウォッシュモジュール２００を通過する空気の流動は、より詳細に後述する。
【００６０】
以下、エアークリーンモジュール１００及びエアーウォッシュモジュール２００についてより詳細に説明する。
【００６１】
前記エアークリーンモジュール１００は、ベースボディ１１０と、前記ベースボディ１１０に配置され、空気をろ過させるフィルタアセンブリ１０と、前記ベースボディ１１０に配置され、空気を流動させる送風ユニット２０とを備える。
【００６２】
前記エアーウォッシュモジュール２００は、加湿のための水が保存され、前記エアークリーンモジュール１００に分離可能に据え置かれる水槽３００と、前記水槽３００に配置され、前記水槽３００内部に配置され、前記水槽の水を噴射するウォータリングユニット４００と、前記ウォータリングユニット４００から噴射された水により濡らされ、流動する空気に水分を提供する加湿媒体５０と、前記水槽３００に結合され、内部を見ることができる材質で形成されたビジュアルボディ２１０と、前記ビジュアルボディ２１０に分離可能に据え置かれ、空気が吐出される吐出流路１０７及び水が供給される給水流路１０９が形成されたトップカバーアセンブリ２３０とを備える。
【００６３】
前記エアークリーンモジュール１００には、吸入流路１０１、ろ過流路１０２、送風流路１０８、クリーン連結流路１０４が配置される。前記吸入流路１０１を介して吸入された空気は、ろ過流路１０２、送風流路１０８を経てクリーン流路１０４に流動する。
【００６４】
前記エアーウォッシュモジュール２００は、加湿連結流路１０５、加湿流路１０６、吐出流路１０７、及び給水流路１０９が配置される。
【００６５】
前記エアークリーンモジュール１００のクリーン連結流路１０４及びエアーウォッシュモジュール２００の加湿連結流路１０５は、エアーウォッシュモジュール２００がエアークリーンモジュール１００に据え置かれるとき、初めて連結される。
【００６６】
前記エアーウォッシュモジュール２００の加湿連結流路１０５を介して供給されたろ過空気は、加湿流路１０６及び吐出流路１０７を経て室内に吐出される。前記給水流路１０９は、加湿流路１０６と連通されるが、空気は吐出させず、水のみ給水され得る構造で製作される。
【００６７】
まず、エアークリーンモジュール１００の各構成について説明する。
【００６８】
前記ベースボディ１１０は、アッパーボディ１２０及びロアボディ１３０で構成される。前記ロアボディ１３０上側に前記アッパーボディ１２０が積層され、前記アッパーボディ１２０及びロアボディ１３０は組み立てられる。
【００６９】
前記ベースボディ１１０内部に空気が流動する。
【００７０】
前記ロアボディ１３０に吸入流路１０１、ろ過流路１０２、及び送風流路１０８が配置され、前記吸入流路１０１、ろ過流路１０２、及び送風流路１０８を形成させる構造物等が配置される。
【００７１】
前記アッパーボディ１２０に連結流路１０３の一部が配置され、ろ過された空気を前記エアーウォッシュモジュール２００に案内するための構造物等及びエアーウォッシュモジュール２００を据え置くための構造物等が配置される。
【００７２】
前記ベースボディ１１０は、外形を形成し、下側面に吸入口１１１が形成されたロアボディ１３０と、外形を形成し、前記ロアボディ１３０上側に結合されるアッパーボディ１２０とを備える。
【００７３】
前記フィルタアセンブリ１０は、前記ベースボディ１１０から脱着可能に組み立てられる。
【００７４】
前記フィルタアセンブリ１０は、ろ過流路１０２を提供し、外部空気に対してフィルタリングを行う。前記フィルタアセンブリ１０は、前記ベースボディ１１０に対して水平方向に脱着可能な構造である。前記フィルタアセンブリ１０は、垂直方向を逆らって流動する空気の流動方向に対して交差するように配置される。前記フィルタアセンブリ１０は、水平方向にスライド移動され、垂直方向上側に流動する空気に対してろ過を行う。前記フィルタアセンブリ１０は、水平に配置され、上下方向にろ過流路１０２を形成する。
【００７５】
前記フィルタアセンブリ１０は、前記ベースボディ１１０に対して水平方向に摺動されることができる。
【００７６】
前記フィルタアセンブリ１０は、前記ロアボディ１３０内部に配置され、ろ過流路１０２を形成するフィルタハウジング１１と、前記フィルタハウジング１１に分離可能に結合され、前記ろ過流路１０２を通過する空気に対してろ過を行うフィルタ１４とを備える。
【００７７】
前記フィルタハウジング１２は、下側が吸入流路１０１と連通され、上側が送風流路１０８と連通される。前記吸入流路１０１を介して吸入された空気は、ろ過流路１０２を経て送風流路１０８に流動する。
【００７８】
前記フィルタハウジング１２は、前記ろ過流路１０２と交差する方向に一側が開口する。前記フィルタハウジング１２の開口面を介して前記フィルタ１４が分離可能に結合され得る。前記フィルタハウジング１２の開口面は、側方向に形成される。前記フィルタハウジング１２の開口面は、ロアボディ１３０の外側面に配置される。これにより、前記フィルタ１４は、前記ロアボディ１３０の側面を介して挿入され、フィルタハウジング１２内部に位置する。前記フィルタ１４は、前記ろ過流路１０２と交差するように配置され、前記ろ過流路１０２を通過する空気に対してろ過を行う。
【００７９】
前記フィルタ１４は、印加された電源を帯電させて空気中の異物を捕集する電気集塵フィルタでありうる。前記フィルタ１４は、ろ過材を介して空気中の異物を捕集する材質で形成されることができる。前記フィルタ１４は、様々な構造が配置され得る。前記フィルタ１４のろ過方式またはフィルタのろ過材によって本発明の権利が制限されない。
【００８０】
前記ろ過流路１０２は、加湿清浄装置の主な流動方向と同じ方向に配置される。本実施形態において前記ろ過流路１０２は、上下方向に配置され、重力反対方向に空気を流動させる。すなわち、前記加湿清浄装置の主な流動方向は、下側から上側に向かうように形成される。
【００８１】
前記フィルタハウジング１２の上側に送風ユニット２０が配置される。
【００８２】
前記フィルタハウジング１２の上側面は、開口して形成され、前記ろ過流路１０２を通過した空気は、前記送風ユニット２０に流動する。
【００８３】
前記送風ユニット２０は、空気の流動を生成させる。前記送風ユニット２０は、前記ベースボディ１１０内部に配置され、下側から上側に空気を流動させる。
【００８４】
前記送風ユニット２０は、送風ハウジング１５０、送風モータ２２、及び送風ファン２４で構成される。本実施形態において前記送風モータ２２が上側に配置され、送風ファン２４が下側に配置される。前記送風モータ２２のモータ軸が下方に向かって設けられ、前記送風ファン２４と組み立てられる。
【００８５】
前記送風ハウジング１５０は、前記ベースボディ１１０内部に配置される。前記送風ハウジング１５０は、流動する空気の流路を提供する。前記送風ハウジング１５０に前記送風モータ２２及び送風ファン２４が配置される。
【００８６】
前記送風ハウジング１５０は、前記フィルタアセンブリ１０上側に配置され、前記アッパーボディ１２０下側に配置される。
【００８７】
前記送風ハウジング１５０は、内部に送風流路１０８を形成させる。前記送風流路１０８に前記送風ファン２４が配置される。前記送風流路１０８は、ろ過流路１０２及びクリーン連結流路１０４を連結させる。
【００８８】
前記送風ファン２４は、遠心ファンであって、下側で空気を吸入した後、半径方向外側に空気を吐出させる。前記送風ファン２４は、半径方向外側及び上側に空気を吐出させる。前記送風ファン２４は、外側端が半径方向上側に向かうように形成される。
【００８９】
前記送風モータ２２は、流動する空気との接触を最小化させるために、前記送風ファン２４の上側に配置される。前記送風モータ２２は、送風ファン２４により囲まれて設けられる。前記送風モータ２２は、前記送風ファン２４による空気流路上に位置せず、送風ファン２４により流動する空気と抵抗を発生させない。
【００９０】
前記アッパーボディ１２０は、ベースボディ１１０の外形を形成し、ロアボディ１３０と結合されるアッパーアウターボディ１２８と、前記アッパーアウターボディ１２８の内側に配置され、前記水槽３００が挿入され、連結流路１０３を提供するアッパーインナーボディ１４０と、前記アッパーインナーボディ１４０及びアッパーアウターボディ１２８を結合させ、空気を前記水槽３００に案内するエアーガイド１７０とを備える。
【００９１】
前記アッパーボディ１２０は、連結流路及び水槽挿入空間を分離して配置するので、水槽３００の水が連結流路に流入することを最小化できる。特に、アッパーインナーボディを介して仕切られて連結流路が水が保存される空間の外側に配置されるので、水が連結流路に流入することを抑制できる。
【００９２】
前記アッパーインナーボディ１４０は、上側が開口して形成され、前記水槽３００が挿入される。前記アッパーインナーボディ１４０は、ろ過空気が流入するクリーン連結流路１０４のうちの一部を形成する。
【００９３】
前記アッパーインナーボディ１４０は、エアーウォッシュ流入口３１と対応するアッパー流入口１２１が形成される。前記アッパー流入口１２１は、必須構成要素ではない。アッパーボディ１２０が前記エアーウォッシュ流入口３１を連結流路１０３に露出させる形状であれば、それで十分である。
【００９４】
前記エアーガイド１７０は、クリーン連結流路１０４を介して供給された空気を前記アッパー流入口１２１に案内する。前記エアーガイド１７０は、ベースボディ１１０の外側に沿って上昇された空気を内側に集める。前記エアーガイド１７０は、下側から上側に流動する空気の流動方向を切り換える。ただし、前記エアーガイド１７０は、空気の流動方向を切り換えるものの、その角度を最小化させて空気の流動抵抗を最小化させる。
【００９５】
前記エアーガイド１７０は、アッパーインナーボディ１４０の外側を３６０度囲むように形成される。前記エアーガイド１７０は、３６０度全方向に対して空気を前記水槽３００に案内する。前記エアーガイド１７０は、ロアボディ１３０の外側に沿って案内された空気を内側に集めて水槽３００に供給する。このような構造により前記水槽３００に供給される空気の流量を十分確保できる。
【００９６】
これにより、前記エアーガイド１７０は、空気の流動方向に形成された案内部１７２と、前記案内部１７２と連結され、案内された空気の流動方向を切り換える切換部１７４とを備える。
【００９７】
前記エアーガイド１７０は、連結流路１０３を形成する。
【００９８】
前記案内部１７２は、ろ過流路１０２と略同じ方向に形成され、本実施形態では、上下方向に形成される。前記切換部１７４は、前記ろ過流路１０２と交差する方向に形成され、本実施形態では、略水平方向に形成される。
【００９９】
前記切換部１７４は、エアーガイド１７０の上側に形成される。前記切換部１７２は、案内部１７２と曲面に連結されることが好ましい。
【０１００】
前記切換部１７４が水平方向に形成されても、前記連結流路１０３を通過する空気は、略傾斜した上側方向に流動する。前記連結流路１０３及びろ過流路１０２の転流角を直進方向と類似して形成し、空気の流動抵抗を低減できる。
【０１０１】
前記案内部１７２の下端が前記アッパーアウターボディ１２８に固定される。前記切換部１７４の上側端が前記アッパーインナーボディ１４０に固定される。
【０１０２】
前記アッパーインナーボディ１４０外側に前記クリーン連結流路１０４のうちの一部が形成される。前記エアーガイド１７０がクリーン連結流路１０４のうちの一部を形成する。前記クリーン連結流路１０４を通過した空気は、アッパー流入口１２１及びエアーウォッシュ流入口３１を介して水槽３００内部に流動する。
【０１０３】
前記アッパーインナーボディ１４０は、全体的にバスケット状である。前記アッパーインナーボディ１４０は、平断面が円形に形成され、前記クリーン連結流路１０４は、３６０度全方向に形成される。
【０１０４】
前記エアーガイド１７０は、ろ過空気を前記クリーン連結流路１０４に案内するための構成であり、実施形態によって含まれないこともある。前記エアーガイド１７０は、アッパーインナーボディ１４０またはアッパーアウターボディ１２８を結合させる。
【０１０５】
前記エアーガイド１７０は、前記アッパーインナーボディ１４０を囲むように形成される。特に、前記エアーガイド１７０は、アッパー流入口１２１を囲むように形成され、前記アッパー流入口１２１にろ過空気を案内する。平面から見るとき、前記エアーガイド１７０は、ドーナッツ状である。
【０１０６】
本実施形態において前記エアーガイド１７０の上端は、前記アッパーインナーボディ１４０の上端に密着される。
【０１０７】
平面から見るとき、前記エアーガイド１７０の上側面と前記アッパーインナーボディ１４０の上側面とが一致する。本実施形態において前記アッパーインナーボディ１４０の上端には、前記エアーガイド１７０と結合または密着されるアッパーインナーボディリング１２６が形成される。
【０１０８】
前記アッパーインナーボディ１４０及びアッパーインナーボディリング１２６を連結するインナーボディ延長部１４８が形成される。前記インナーボディ延長部１４８は、複数個が配置される。前記インナーボディ延長部１４８及びアッパーインナーボディリング１２６間にアッパー流入口１２１が形成される。
【０１０９】
前記インナーボディ延長部１４８は、水槽ボディ延長部３８０と対応する。前記水槽３００の据え置きの際、前記インナーボディ延長部１４８の内側に水槽ボディ延長部３８０が位置する。前記インナーボディ延長部１４８及び水槽ボディ延長部３８０は、内外に重なる。
【０１１０】
前記エアーガイド１７０の上端は、前記アッパーインナーボディリング１２６と密着または結合される。前記エアーガイド１７０の下端は、アッパーアウターボディ１２８と密着または結合される。
【０１１１】
これにより、前記アッパーインナーボディ１４０及びアッパーアウターボディ１２８間のクリーン連結流路１０４を介して流動する空気は、アッパー流入口１２１に案内される。
【０１１２】
前記アッパーインナーボディリング１２６の直径と前記エアーガイド１７０上端の直径とが一致するか、類似している。前記エアーガイド１７０及びアッパーインナーボディリング１２６が密着されてろ過空気の漏れを防止する。前記アッパーインナーボディリング１２６は、エアーガイド１７０の内側に配置される。
【０１１３】
前記アッパーアウターボディ１２８に取っ手１２９が形成され得る。前記アッパーボディ１２０にエアーウォッシュモジュール２００が据え置かれるところ、前記取っ手１２９を介して加湿清浄装置全体を持ち上げることができる。
【０１１４】
前記アッパーインナーボディ１４０は、水槽３００が挿入され得るように内部に水槽挿入空間１２５が形成される。
【０１１５】
前記アッパー流入口１２１を基準に外側にクリーン連結流路１０４が配置され、内側に水槽挿入空間１２５が配置される。前記クリーン連結流路１０４に沿って流動した空気は、アッパー流入口１２１を通過する。前記水槽３００が水槽挿入空間１２５に据え置かれた場合、前記アッパー流入口１２１を通過したろ過空気は、水槽３００内部に流入する。
【０１１６】
一方、アッパーボディ１２０の上側にアウタービジュアルボディ２１４が結合される。
【０１１７】
前記アウタービジュアルボディ２１４は、ビジュアルボディ２１０の構成であるが、本実施形態では、アッパーボディ１２０に固定される。本実施形態とは異なり、前記アウタービジュアルボディ２１４は、エアーウォッシュモジュール２００に固定されても構わない。本実施形態とは異なり、前記アウタービジュアルボディ２１４は、削除可能な構成である。
【０１１８】
前記アウタービジュアルボディ２１４は、アッパーボディ１２０に固定される。本実施形態において前記アウタービジュアルボディ２１４は、アッパーアウターボディ１２８に結合される。前記アウタービジュアルボディ２１４は、アッパーアウターボディ１２８の外側面が連続した面を形成する。
【０１１９】
アウタービジュアルボディ２１４は、内部を透視できる材質で形成される。前記アウタービジュアルボディ２１４は、透明であるか、半透明な材質で形成され得る。
【０１２０】
前記エアークリーンモジュール１００またはエアーウォッシュモジュール２００のうち、少なくともいずれか１つに作動状態をユーザに表示するディスプレイモジュール１６０が配置され得る。本実施形態では、前記ベースボディ１１０に加湿清浄装置の作動状態をユーザに表示するディスプレイモジュール１６０が設けられる。
【０１２１】
前記アウタービジュアルボディ２１４内側にディスプレイモジュール１６０が配置される。前記ディスプレイモジュール１６０は、アウタービジュアルボディ２１４の内側面に密着されるように配置される。前記ディスプレイモジュール１６０は、平面から見るとき、ドーナッツ状である。前記ディスプレイモジュール１６０の内側に前記水槽３００が挿入される。
【０１２２】
前記ディスプレイモジュール１６０は、アウタービジュアルボディ２１４に支持される。前記ディスプレイモジュール１６０の内側縁は、アッパーインナーボディリング１２６に支持される。前記ディスプレイモジュール１６０は、エアーガイド１７０上側に位置する。前記ディスプレイモジュール１６０は、コネクタ２６０と一体に製作されることができる。
【０１２３】
前記ディスプレイモジュール１６０は、エアーガイド１７０上側に位置する。前記ディスプレイモジュール１６０は、アッパーアウターボディ１２８及びアッパーインナーボディ１４０間に配置されることができる。前記ディスプレイモジュール１６０は、ユーザがアッパーアウターボディ１２８及びアッパーインナーボディ１４０間を見ることができないようにカバーする。特に、前記アッパーアウターボディ１２８及びアッパーインナーボディ１４０間に水が浸透することを遮断するために、前記ディスプレイモジュール１６０の内側及び外側はシーリングされることが好ましい。
【０１２４】
前記ディスプレイモジュール１６０の内側は、アッパーインナーボディ１４０に支持され、外側は、アウタービジュアルボディ２１８に支持される。
【０１２５】
本実施形態において前記ディスプレイモジュール１６０はリング形状に形成される。本実施形態とは異なり、前記ディスプレイモジュール１６０は、弧形状に形成されることができる。前記ディスプレイモジュール１６０の表面は、光を反射できる材質で形成されるか、光を反射できる材質がコーティングされる。
【０１２６】
これにより、前記ビジュアルボディ２１０に水が結ばれる場合、ビジュアルボディ２１０に結ばれた水がディスプレイモジュール１６０表面に投影されたり、反射されることができる。前記ビジュアルボディ２１０で結ばれた水が流れ落ちる場合、前記ディスプレイモジュール１６０にも同じ効果が表れる。
【０１２７】
このような効果は、ユーザに視覚的な刺激を与え、加湿がなされていることをユーザが直観的に認知できる。前記ディスプレイモジュール１６０に投影された水滴イメージは、ユーザに清涼感を与える感性的効果だけでなく、加湿状態を分かることができる機能的効果もある。
【０１２８】
前記ディスプレイモジュール１６０の上側面は、傾斜して形成される。前記ディスプレイモジュール１６０は、ユーザ側に傾斜して形成される。これにより、内側が高く、外側が低く形成される。
【０１２９】
次に、エアーウォッシュモジュール２００の各構成について説明する。
【０１３０】
前記エアーウォッシュモジュール２００は、ろ過空気に対して加湿を提供する。前記エアーウォッシュモジュール２００は、加湿流路１０６でレインビューを実現することができる。前記エアーウォッシュモジュール２００は、水槽３００の水を噴射し、これを循環させる。前記エアーウォッシュモジュール２００は、水を小さな大きさの液滴に変換させ、飛散した液滴を介してろ過空気を再度洗い落とす。飛散した水滴を介してろ過空気をウォッシング（ｗａｓｈｉｎｇ）するとき、加湿及びろ過が再度なされる。
【０１３１】
前記エアーウォッシュモジュール２００は、加湿連結流路１０５、加湿流路１０６、吐出流路１０７、及び給水流路１０９を備える。
【０１３２】
前記エアーウォッシュモジュール２００は、水槽３００、ウォータリングユニット４００、加湿媒体５０、ビジュアルボディ２１０、トップカバーアセンブリ２３０、及びハンドル１８０を備える。
【０１３３】
前記ハンドル１８０は、ビジュアルボディ２１０に結合され、前記ビジュアルボディ２１０で回転され、前記ビジュアルボディ２１０に収納される。前記ハンドル１８０を介してエアーウォッシュモジュール２００のみを簡便に持ち上げることができ、前記エアークリーンモジュール１００から分離することができる。
【０１３４】
前記加湿連結流路１０５は、水槽３００の外側に配置され、前記水槽３００の内部に空気を案内することができる。前記加湿連結流路１０５は、ビジュアルボディ２１０の外側に配置され、前記ビジュアルボディ２１０の内部に空気を案内することができる。
【０１３５】
前記加湿連結流路１０５は、水槽３００またはビジュアルボディ２１０のうち、少なくともいずれか１つの外側に配置され、水槽３００またはビジュアルボディ２１０のうち、いずれか１つの内部に空気を案内することができる。
【０１３６】
前記吐出流路１０７は、トップカバーアセンブリ２３０及びビジュアルボディ２１０の間に配置されることができる。前記吐出流路１０７は、トップカバーアセンブリ２３０またはビジュアルボディ２１０のうち、少なくともいずれか１つに配置されることができる。
【０１３７】
本実施形態では、トップカバーアセンブリ２３０の外側縁に吐出流路１０７が形成され、前記トップカバーアセンブリ２３０の内側中央に給水流路１０９が配置される。
【０１３８】
本実施形態に係る加湿清浄装置は、前記エアークリーンモジュール１００に電源が連結され、前記エアーウォッシュモジュール２００は、前記エアークリーンモジュール１００を介して電源の供給を受ける。
【０１３９】
前記エアーウォッシュモジュール２００が前記エアークリーンモジュール１００に対して分離可能な構造であるから、前記エアークリーンモジュール１００及びエアーウォッシュモジュール２００は、分離可能な電源供給構造が備えられる。
【０１４０】
前記エアークリーンモジュール１００及びエアーウォッシュモジュール２００は、前記アッパーボディ１２０を介して分離可能に組み立てられるので、前記アッパーボディ１２０には、前記エアーウォッシュモジュール２００に電源を提供するコネクタ２６０が配置される。
【０１４１】
前記エアーウォッシュモジュール２００のトップカバーアセンブリ２３０は、電源を必要とする操作部及びディスプレイが配置される。前記エアーウォッシュモジュール２００には、前記コネクタ２６０と分離可能に連結されるトップコネクタ２７０が配置される。前記トップコネクタ２７０は、トップカバーアセンブリ２３０に配置される。
【０１４２】
本実施形態では、前記トップカバーアセンブリ２３０を分離できるので、ビジュアルボディ２１０の内側面または水槽３００の内側面を簡便に掃除することができる。
【０１４３】
前記トップカバーアセンブリ２３０は、内側に給水流路１０９が形成され、ビジュアルボディ２１０との間に吐出流路１０７を形成させる。前記トップカバーアセンブリ２３０は、前記ビジュアルボディ２１０に対して分離可能に設けられる。前記トップカバーアセンブリ２３０は、コネクタ２６０と電気的に連結されるトップコネクタ２７０が配置される。
【０１４４】
前記トップカバーアセンブリ２３０が据え置かれるとき、トップコネクタ２７０がコネクタ２６０上側に据え置かれる。前記トップカバーアセンブリ２３０は、前記トップコネクタ２７０を介して前記コネクタ２６０から電気の供給を受ける。
【０１４５】
前記給水流路１０９の周りには、前記水槽３００の水位を表示する水位表示部（図示せず）が配置される。これにより、ユーザは、水を給水するとき、見えない水槽３００の水位がある程度満たされたかを確認することができる。このように、ユーザが水を給水する動線上に水位表示部を配置することにより、ユーザが水を過度に供給することを防止でき、水槽３００から水が溢れることを防止できる。
【０１４６】
前記水位表示部は、前記トップカバーアセンブリ２３０に配置される。前記トップコネクタ２７０及びコネクタ２６０の分離可能な電源供給構造は、上部給水を効果的に構成できるようにする。
【０１４７】
前記水槽３００は、前記アッパーボディ１２０に分離可能に据え置かれる。前記ウォータリングユニット４００は、前記水槽３００内部に配置され、前記水槽３００内部で回転される。
【０１４８】
前記水槽３００は、水が保存される水槽ボディ３２０と、前記水槽ボディ３２０の側面に形成されたエアーウォッシュ流入口３１と、前記水槽ボディ３２０から上側へ延びて形成され、前記ビジュアルボディ２１０に結合される水槽ボディ延長部３８０とを備える。
【０１４９】
本実施形態において前記水槽ボディ３２０は、上側が開口した円筒形に形成される。本実施形態とは異なり、前記水槽ボディ３２０は、様々な形状に形成されることができる。
【０１５０】
前記水槽ボディ延長部３８０は、前記水槽３００から上側へ延びて形成される。前記水槽ボディ延長部３８０は、前記エアーウォッシュ流入口３１を形成させる。前記水槽ボディ延長部３８０間に前記エアーウォッシュ流入口３１が形成される。
【０１５１】
前記エアーウォッシュ流入口３１は、水槽ボディ３２０の側面に形成される。前記エアーウォッシュ流入口３１は、水槽ボディ３２０に対して３６０度全方向に形成される。前記エアーウォッシュ流入口３１は、加湿連結流路１０５と連通される。
【０１５２】
前記水槽ボディ延長部３８０は、前記ビジュアルボディ２１０の内側面から流れ落ちる水を前記水槽３００内部に案内する。前記ビジュアルボディ２１０から流れ落ちる水を案内することによって落水騷音を最小化することができる。
【０１５３】
前記水槽ボディ延長部３８０は、ビジュアルボディ２１０の下端に締め付けられる。
【０１５４】
本実施形態では、前記水槽ボディ３２０の構成を介してエアーウォッシュ流入口３１が形成される。本実施形態とは異なり、前記ビジュアルボディ２１０に水槽ボディ延長部３８０を配置してエアーウォッシュ流入口３１を形成させることもできる。また、本実施形態とは異なり、複数個の水槽ボディ延長部３８０のうちの一部は水槽３００に配置し、複数個の水槽ボディ延長部３８０のうちの残りはビジュアルボディ２１０に配置して、エアーウォッシュ流入口３１を構成することができる。また、本実施形態とは異なり、ビジュアルボディ２１０及び水槽３００と区分される別の構成にエアーウォッシュ流入口３１を形成させることができる。また、本実施形態とは異なり、ビジュアルボディ２１０に開口面を形成し、エアーウォッシュ流入口３１を形成させ、水槽３００にも開口面を形成し、エアーウォッシュ流入口３１を形成させることができる。
【０１５５】
すなわち、前記エアーウォッシュ流入口３１は、水槽３００またはビジュアルボディ２１０のうち、少なくともいずれか１つに配置されることができる。前記エアーウォッシュ流入口３１は、水槽３００及びビジュアルボディ２１０の結合によって形成されることができる。前記エアーウォッシュ流入口３１を水槽３００及びビジュアルボディ２１０と区分される別の構成に配置した後、これを水槽３００及びビジュアルボディ２１０間に配置することができる。前記エアーウォッシュ流入口３１は、前記水槽３００及びビジュアルボディ２１０の結合によって形成されることができる。
【０１５６】
前記エアーウォッシュ流入口３１は、エアーウォッシュモジュール２００の側部に配置され、加湿流路１０６と連結される。前記エアーウォッシュ流入口３１は、加湿連結流路１０５と連通または連結されることができる。
【０１５７】
前記ウォータリングユニット４００は、加湿媒体５０に水を供給する機能がある。前記ウォータリングユニット４００は、加湿過程を視角化する機能がある。前記ウォータリングユニット４００は、エアーウォッシュモジュール２００内部にレインビューを実現する機能がある。
【０１５８】
前記ウォータリングユニット４００は、ウォータリングハウジング８００を回転させて前記水槽内部の水を吸入し、吸入された水を上側に揚水し、揚水された水を半径方向外側に噴射する。前記ウォータリングユニット４００は、水を内部に吸入し、吸入された水を上側に揚水した後、半径方向外側に噴射させるウォータリングハウジング８００を備える。
【０１５９】
本実施形態では、水を噴射させるために、ウォータリングハウジング８００を回転させる。本実施形態とは異なり、前記ウォータリングハウジング８００の代わりに、ノズルを使用して水を噴射しても構わない。ノズルで水を噴射して加湿媒体５０に水を供給でき、レインビューも同様に実現することができる。実施形態によって、ノズルで水を噴射し、ノズルを回転させることもできる。
【０１６０】
前記ウォータリングハウジング８００から噴射された水が前記加湿媒体５０を濡らす。前記ウォータリングハウジング８００から噴射された水は、前記ビジュアルボディ２１０または加湿媒体５０のうち、少なくともいずれか１つに向かって噴射されることができる。
【０１６１】
ビジュアルボディ２１０に向かって噴射される水は、レインビューを実現することができる。加湿媒体５０に向かって噴射される水は、ろ過空気を加湿するのに用いられる。ビジュアルボディ２１０に向かって水を噴射してレインビューを実現した後、ビジュアルボディ２１０から流れ落ちた水が加湿媒体５０を濡らすように実現することができる。
【０１６２】
本実施形態では、ウォータリングハウジング８００に高さの異なる複数個の噴射口を配置する。いずれか１つの噴射口から吐出された水がビジュアルボディ２１０の内側面に液滴を形成し、レインビューを実現し、残りの１つの噴射口から吐出された水が加湿媒体５０を濡らして加湿に用いられる。
【０１６３】
前記ウォータリングハウジング８００は、前記ビジュアルボディ２１０の内側面に向かって水を噴射し、噴射された水は、前記ビジュアルボディ２１０の内側面に沿って下方へ流れ落ちる。前記ビジュアルボディ２１０の内側面には、水滴形態で結ばれた液滴が形成され、ユーザは、前記ビジュアルボディ２１０を介して前記液滴を見ることができる。
【０１６４】
特に、ビジュアルボディ２１０から流れ落ちた水は、加湿媒体５０を濡らして加湿に用いられる。前記加湿媒体５０は、ウォータリングハウジング８００から噴射された水及びビジュアルボディから流れ落ちた水により濡らされることができる。
【０１６５】
前記ビジュアルボディ２１０は、前記水槽３００と結合され、前記水槽３００の上側に位置する。前記ビジュアルボディ２１０の少なくとも一部は、内部を透視できる材質で形成される。
【０１６６】
前記ビジュアルボディ２１０の外側にディスプレイモジュール１６０が配置され得る。前記ディスプレイモジュール１６０は、ビジュアルボディ２１０またはアッパーボディ１２０のうち、いずれか１つに結合されることができる。
【０１６７】
前記ディスプレイモジュール１６０は、レインビューを観察できる視線上に配置される。本実施形態において前記ディスプレイモジュール１６０は、前記アッパーボディ１２０に配置される。
【０１６８】
前記エアーウォッシュモジュール２００が据え置かれるとき、前記ビジュアルボディ２１０の外側面が前記ディスプレイモジュール１６０に密着される。前記ディスプレイモジュール１６０の表面のうち、少なくとも一部は、光を反射する材質で形成されるか、コーティングされることができる。
【０１６９】
前記ビジュアルボディ２１０に結ばれた液滴は、前記ディスプレイモジュール１６０の表面にも投影される。これにより、ユーザは、前記ビジュアルボディ２１０及びディスプレイモジュール１６０の２ヶ所で液滴の動きを観察できる。
【０１７０】
前記水槽３００には、空気が通じるエアーウォッシュ流入口３１が形成される。前記エアーウォッシュ流入口３１は、連結流路１０３及び加湿流路１０６間に位置する。前記エアーウォッシュ流入口３１は、連結流路１０３の出口であり、加湿流路１０６の入口である。
【０１７１】
前記エアークリーンモジュール１００から供給されたろ過空気は、前記エアーウォッシュ流入口３１を介して前記エアーウォッシュモジュール２００内部に流動する。
【０１７２】
前記加湿媒体５０は、加湿流路１０６入口に配置される水槽加湿媒体５１及び加湿流路１０６出口に配置される吐出加湿媒体５５を備える。前記加湿流路１０６の出口と吐出流路１０７の入口とは、互いに連結される。これにより、前記吐出加湿媒体５５が吐出流路１０７に配置されても構わない。
【０１７３】
前記連結流路１０３、加湿流路１０６、及び吐出流路１０７はダクトなどのような構造物を介して形成されるものではないため、その境界を明確に区分し難い。ただし、加湿がなされる加湿流路１０６を水槽加湿媒体５１及び吐出加湿媒体５５間と定義する場合、連結流路１０３及び吐出流路１０７が自然に定義される。
【０１７４】
前記連結流路１０３は、送風ハウジング１５０及び水槽加湿媒体５１間と定義される。前記吐出流路１０７は、吐出加湿媒体５５以後と定義される。
【０１７５】
本実施形態において前記水槽加湿媒体５１は、水槽３００のエアーウォッシュ流入口３１に配置される。
【０１７６】
前記水槽加湿媒体５１は、エアーウォッシュ流入口３１と同一平面上、外側、または内側のうち、少なくともいずれか１つに位置し得る。前記水槽加湿媒体５１は、加湿のために水が濡らされるので、前記エアーウォッシュ流入口３１の内側に位置することが好ましい。
【０１７７】
前記水槽加湿媒体５１を濡らした後、流れ落ちた水は、前記水槽３００に保存されることが好ましい。前記水槽加湿媒体５１を濡らした後、流れ落ちた水が前記水槽３００外部に流れ落ちないように配置されることが好ましい。
【０１７８】
これにより、前記水槽加湿媒体５１は、前記エアーウォッシュ流入口３１を通過するろ過空気に対して加湿を提供する。
【０１７９】
前記加湿媒体５０で自然蒸発された水によりろ過空気が加湿される。前記自然蒸発は、別の熱を加えなかった状態で水が蒸発されることをいう。空気との接触が増加するほど、空気の流速が速くなるほど、空気中の圧力が低くなるほど、自然蒸発が促進される。前記自然蒸発を自然気化と指すこともある。
【０１８０】
前記加湿媒体５０は、水の自然蒸発を促進させる。本実施形態において前記加湿媒体５０は、水に濡らされるが、水槽３００には浸らない。
【０１８１】
前記水槽３００に保存された水と離間し、分離されて配置されるので、水槽３００に保存された水があっても水槽加湿媒体５１及び吐出加湿媒体５５は、常に濡らされた状態ではない。すなわち、加湿モードで作動されるときにのみ水槽加湿媒体５１及び吐出加湿媒体５５が濡らされた状態であり、空気清浄モードで作動されるときには、水槽加湿媒体５１及び吐出加湿媒体５５が乾燥された状態で維持されることができる。
【０１８２】
前記水槽加湿媒体５１は、前記エアーウォッシュ流入口３１をカバーし、空気は、前記水槽加湿媒体５１を貫介して前記水槽３００内部に流動する。
【０１８３】
前記吐出加湿媒体５５は、加湿流路１０６の出口または吐出流路１０７入口に配置されることができる。
【０１８４】
本実施形態において前記吐出加湿媒体５５は、ビジュアルボディ２１０の上部をカバーするように配置される。前記吐出加湿媒体５５は、ビジュアルボディ２１０に据え置かれる。本実施形態とは異なり、吐出加湿媒体５５は、トップカバーアセンブリ２３０の底面に結合されることができる。
【０１８５】
前記吐出加湿媒体５５は、前記吐出流路１０７をカバーし、加湿空気は、前記吐出加湿媒体５５を貫介しての後、吐出流路１０７に流動する。
図６は、図２に示されたエアーウォッシュモジュールからトップカバーアセンブリが分離された斜視図であり、図７は、図６に示されたトップカバーアセンブリ及び吐出加湿媒体ハウジングの分離斜視図である。
【０１８６】
本実施形態において前記トップカバーアセンブリ２３０は、ビジュアルボディ２１０に分離可能に据え置かれるという特徴がある。前記トップカバーアセンブリ２３０は、吐出流路１０７を提供するだけでなく、給水のための給水流路１０９も提供する。
【０１８７】
本実施形態において前記トップカバーアセンブリ２３０は、吐出加湿媒体５５の上側に位置する。本実施形態では、前記吐出加湿媒体５５が配置された吐出加湿媒体ハウジング１４００が配置され、前記吐出加湿媒体ハウジング１４００の上部に前記トップカバーアセンブリ２３０が配置される。前記吐出加湿媒体ハウジング１４００は、ビジュアルボディ２３０の上部に据え置かれる。前記トップカバーアセンブリ２３０は、吐出加湿媒体ハウジング１４００の上部に据え置かれる。前記トップカバーアセンブリ２３０は、吐出加湿媒体ハウジング１４００と一体に組み立てられることができる。本実施形態では、トップカバーアセンブリ２３０及び吐出加湿媒体ハウジング１４００が各々製作される。
【０１８８】
前記トップカバーアセンブリ２３０は、ビジュアルボディ２１０に据え置かれて支持され、前記吐出加湿媒体ハウジング１４００には荷重を加えない。
【０１８９】
前記吐出加湿媒体ハウジング１４００は、吐出加湿媒体５５が内部に配置され、ビジュアルボディ２１０の上部をカバーする。給水流路１０９は、前記吐出加湿媒体ハウジング１４００を通過するように構成される。吐出流路１０７は、前記吐出加湿媒体ハウジング１４００を通過するように構成される。
【０１９０】
前記トップカバーアセンブリ２３０は、吐出流路１０７及び給水流路１０９を形成するトップカバーグリル２３２と、前記トップカバーグリル２３２に設けられる操作モジュール２４０と、前記操作モジュール２４０に電源または信号を提供するトップコネクタ２７０とを備える。
【０１９１】
前記トップカバーグリル２３２は、吐出流路１０７のうち、少なくとも一部を形成するグリル吐出口２３１と、給水流路１０９のうち、少なくとも一部を形成するグリル給水口２３３とを備える。前記グリル吐出口２３１及びグリル給水口２３３は、上下方向に開口して形成される。前記グリル給水口２３３は、トップカバーグリル２３２の内側中央に配置され、前記グリル吐出口２３１は、前記グリル給水口２３３の外側に配置される。
【０１９２】
前記トップカバーグリル２３２は、ビジュアルボディ２１０に分離可能に据え置かれる。前記トップカバーグリル２３２は、ビジュアルボディ２１０の内側に据え置かれる。
【０１９３】
前記操作モジュール２４０は、トップカバーグリル２３２に結合される。前記操作モジュール２４０は、ユーザの操作信号を受信することができる。前記操作モジュールは、ユーザに水位情報を伝達する。前記操作モジュール２４０に給水流路１０９が配置される。前記操作モジュール２４０は、トップコネクタ２７０と電気的に連結され、前記トップコネクタ２７０から電源の提供を受ける。
【０１９４】
前記操作モジュール（２４０、ｏｐｅｒａｔｉｏｎ  ｍｏｄｕｌｅ）は、吐出グリル２３２と結合され、内側に給水流路１０９のうち、少なくとも一部が形成された操作ハウジング２５０と、前記操作ハウジング２５０に配置された入力部２４５と、前記操作ハウジング２５０に配置された水位表示部２４７と、前記入力部２４５及び水位表示部２４７を制御する操作制御部（図示せず）とを備える。
【０１９５】
前記操作ハウジング２５０は、上部操作ハウジング２４２及び下部操作ハウジング２４４を備える。
【０１９６】
前記操作モジュール２４０には、給水流路１０９が形成される。前記操作モジュール２４０の中央に上下方向に給水流路１０９の一部が形成される。前記操作モジュール２４０には、給水流路１０９のうち、少なくとも一部を形成する操作給水口２４１が配置され得る。前記操作給水口２４１は、操作ハウジングの内側に配置され、上下方向に開口して形成される。
【０１９７】
前記操作モジュール２４０は、上部給水ガイド２３６をさらに備える。前記上部給水ガイド２３６は、上部給水された水を前記操作給水口２４１に案内する。前記操作ハウジング２５０のうちの一部面を傾斜して形成し、前記上部給水ガイド２３６を形成する。
【０１９８】
上部給水の際、ユーザは、水槽３００内部の水位を見ることができないが、操作給水口２４１の周りに配置された水位表示部２４７を介して上昇された水位を直ちに確認することができる。ユーザは、上部給水中に水位表示部２４７を介して水位を確認できるので、上部給水流量を調節できる。
【０１９９】
上部給水された水は、吐出加湿媒体ハウジング１４００を通過して加湿流路１０６に落下する。特に、上部給水された水は、水槽３００の水面にすぐ落下せず、ウォータリングハウジング８００の上部に落下する。
【０２００】
上部給水の際、前記ウォータリングハウジング８００が回転中である場合、上部給水された水がウォータリングハウジング８００の上部に飛散し、これを介して別のレインビューを形成させる。
【０２０１】
すなわち、ウォータリングユニット４００から噴射された水を介してレインビューを形成させることができるだけでなく、上部給水された水を介してもレインビューを形成させることができる。
【０２０２】
図８は、図４に示されたエアーウォッシュモジュールの断面図であり、図９は、図８に示されたＧの拡大図であり、図１０は、図４に示されたウォータリングハウジングの設置状態が示された斜視図であり、図１１は、図１０の正面図であり、図１２は、図１１のＭ−Ｍに沿って切断された断面図であり、図１３は、図１２の平面図であり、図１４は、図１０に示されたウォータリングハウジングの分解斜視図であり、図１５は、図１４の下側から見た斜視図であり、図１６は、図１４の正面図であり、図１７は、図１４のＮ−Ｎに沿って切断された断面図である。
【０２０３】
前記ウォータリングハウジング８００は、水槽３００に保存された水を噴射するための構成である。前記ウォータリングハウジング８００は、水槽３００に保存された水を効率的に揚水するための構造が配置される。
【０２０４】
前記ウォータリングハウジング８００は、ウォータリングモータ４２の回転力が伝達されて回転され、回転の際、水槽３００に保存された水を内部に吸入した後、上側に揚水することができる。前記ウォータリングハウジング８００内部に揚水された水は、噴射口４１０を介して吐出される。
【０２０５】
前記ウォータリングハウジング８００には、揚水手段が配置される。前記揚水手段は、前記水槽３００の水を上側に揚水（ｐｕｍｐｉｎｇ）する。水槽の水を揚水する方法は、様々に実現されることができる。
【０２０６】
例えば、前記揚水ポンプを介して水を揚水した後、噴射させることができる。
【０２０７】
例えば、ウォータリングハウジングを回転させ、回転の際、水と摩擦または相互干渉を形成させて水を揚水できる。
【０２０８】
本実施形態では、ウォータリングハウジング８００の回転によって水を揚水する構造が提案される。本実施形態において揚水手段は、水との摩擦または相互干渉を介して水を上側に押し上げる揚水グルーブ８１０である。
【０２０９】
前記ウォータリングハウジング８００の内側面に揚水手段である揚水グルーブ８１０が形成される。前記揚水グルーブ８１０は、揚水効率を向上させる。前記揚水グルーブ８１０は、前記ウォータリングハウジング８００内側面から突出されて形成される。前記揚水グルーブ８１０は、上下方向に長く延びて形成される。前記揚水グルーブ８１０は、ウォータリングモータ軸４３または動力伝達軸６４０に対して放射状に配置される。
【０２１０】
前記ウォータリングハウジング８００の下端は、水槽３００の底面と所定間隔離間して吸入間隔（８０１、Ｈ１）を形成する。前記吸入間隔８０１を介して水槽３００の水がウォータリングハウジング８００内部に吸入される。
【０２１１】
前記ウォータリングハウジング８００が水を噴射できる水槽３００の水位Ｈ２は、吸入間隔Ｈ１より高く、噴射口４１０より低く形成される。前記水位Ｈ２は、満水位を含む。
水位Ｈ２が吸入間隔Ｈ１より低い場合、水が吸入されないため、揚水が不可能である。前記水位Ｈ２が噴射口４１０より高い場合、噴射口４１０に揚水された水が噴射されない。
【０２１２】
前記ウォータリングハウジング８００は、下側が開放されるように形成される。前記ウォータリングハウジング８００は、カップ形状である。前記ウォータリングハウジング８００は、カップを逆に置いた形状である。前記ウォータリングハウジング８００内部には、ハウジング空間８０５が形成される。
【０２１３】
前記ウォータリングハウジング８００内部に水槽３００のコラム３５が位置し、前記コラム３５内部に動力伝達モジュール６００が配置される。前記ウォータリングハウジング８００は、コラム３５を囲むように配置される。
【０２１４】
前記ウォータリングハウジング８００は、上側へ行くほど、平断面が拡張されるように形成される。前記コラム３５は、上側へ行くほど、平断面が縮小されるように形成される。前記ウォータリングハウジング８００及びコラム３５の形状は、水を効果的に揚水するための形状である。前記ハウジング空間８０５の容積は、上側へ行くほど増加される。
【０２１５】
前記ウォータリングハウジング８００が回転されるとき、内部に吸入された水は、遠心力によりウォータリングハウジング８００内周面に密着される。前記ウォータリングハウジング８００内周面に形成された揚水グルーブ８１０は、内部に吸入された水に回転力を提供する。
【０２１６】
前記ウォータリングハウジング８００には、吸入された水を外部に吐出する噴射口４１０が形成される。本実施形態において前記噴射口４１０は、水平方向に水を吐出させるように配置される。前記噴射口４１０を介して揚水された水が外部に吐出される。
【０２１７】
本実施形態において前記噴射口４１０から吐出された水は、ビジュアルボディ２１０に噴射されることができる。
【０２１８】
前記噴射口４１０は、設計条件によってその個数が調整され得る。本実施形態において前記噴射口４１０は、高さの差をおいてウォータリングハウジング８００に複数個が配置される。前記ウォータリングハウジング８００の上側に配置された噴射口を第２の噴射口と定義し、ウォータリングハウジングの中間に配置された噴射口を第１の噴射口と定義する。
【０２１９】
前記第１の噴射口から噴射された水は、加湿に用いられる。前記第２の噴射口から噴射された水は、加湿、ウォータリング、及びレインビューに用いられる。
【０２２０】
前記第２の噴射口から噴射された水が流れ落ちて水槽加湿媒体を濡らすことができる。
【０２２１】
前記第２の噴射口から噴射された水がビジュアルボディに当たった後、飛散してレインビューを形成できる。前記第２の噴射口から噴射された水がビジュアルボディに当たった後、微細な液滴に変換され、この液滴等がろ過空気を洗い落とすウォータリングに用いられ得る。
【０２２２】
前記ウォータリングハウジング８００が第１の回転速度以上に回転されるとき、前記第１の噴射口から水が噴射され得る。前記ウォータリングハウジング８００が第２の回転速度以上に回転されるとき、前記第２の噴射口から水が噴射され得る。
【０２２３】
前記第２の回転速度は、前記第１の回転速度に比べて高速である。
【０２２４】
前記ウォータリングハウジング８００が高速で回転されるときにのみ、前記第２の噴射口から水が吐出される。前記ウォータリングハウジング８００が通常的に回転される速度には、前記第２の噴射口を介して水が吐出されないように配置することができる。前記第１の噴射口は、ウォータリングハウジングが常に作動される全ての段階で水を吐出する。
【０２２５】
前記第２の噴射口は、複数個が配置され得る。前記第１の噴射口は、複数個が配置され得る。
【０２２６】
ウォータリングハウジング８００が通常回転速度で回転されれば、揚水された水は、少なくとも第１の噴射口より高く上昇される。前記ウォータリングハウジング８００が高速で回転されれば、揚水された水は、第２の噴射口の高さ以上に上昇される。
【０２２７】
前記第２の噴射口は、ウォータリングハウジング８００の円周方向に複数個が配置され得る。前記第１の噴射口もウォータリングハウジング８００の円周方向に複数個が配置され得る。
【０２２８】
前記ウォータリングハウジング８００が回転されなければ、噴射口４１０を介して水が吐出されない。ユーザが清浄モード（エアークリーンモジュールは作動され、エアーウォッシュモジュールは停止されるモード）にのみ作動させれば、ウォータリングユニット４０が作動されず、送風ユニット２０だけが作動される。ユーザが加湿モードのみで作動させるとき、前記ウォータリングハウジング８００が回転され、前記噴射口４１０を介して水が吐出される。ユーザが清浄モード及び加湿モードを同時作動させるとき、前記噴射口４１０から吐出される水は、ビジュアルボディ２１０の内側面に噴射されることができる。
【０２２９】
ウォータリングハウジング８００が回転されるので、前記噴射口４１０から吐出された水は、前記ビジュアルボディ２１０の内側面を打撃し、前記ビジュアルボディ２１０の内側面に沿って移動される。
【０２３０】
ユーザは、ビジュアルボディ２１０を介して水が噴射されることを視覚的に確認することができる。このような水の噴射は、加湿モードで作動中であることを意味する。ユーザは、水の噴射を介して加湿モードが作動中であることを直観的に確認することができる。
【０２３１】
前記ビジュアルボディ２１０には、噴射された水により液滴が結ばれ、前記液滴は、下方へ流れ落ちるようになる。
【０２３２】
本実施形態において前記ウォータリングハウジング８００は、３個のパートで構成される。本実施形態とは異なり、前記ウォータリングハウジング８００は、１個または２個の部品で製作されることができる。
【０２３３】
前記ウォータリングハウジング８００の下端は、水槽３００の底面から所定間隔離間して配置される。
【０２３４】
前記ウォータリングハウジング８００は、第１のウォータリングハウジング８２０、第２のウォータリングハウジング８４０、ウォータリングハウジングカバー８６０、及びウォータリング動力伝達部８８０を備える。
【０２３５】
前記ウォータリングハウジング８００は、動力伝達軸６４０と組み立てられ、前記動力伝達軸６４０から回転力が伝達される構造が配置される。本実施形態において前記ウォータリングハウジング８００は、ウォータリング動力伝達部８８０及びウォータリングハウジングカバー８６０が動力伝達軸６４０と組み立てられる。前記ウォータリングハウジング８００は、動力伝達軸６４０と２ヶ所で結合され、２ヶ所から回転力が伝達される。
【０２３６】
本実施形態とは異なり、前記ウォータリングハウジング８００は、動力伝達軸６４０と１ヶ所で結合され、結合された１ヶ所で回転力が伝達されることができる。
【０２３７】
また、本実施形態とは異なり、前記ウォータリングハウジング８００は、動力伝達軸でない、他の方式で回転力が伝達されることができる。例えば、ベルト−プーリ方式でウォータリングモータの回転力が伝達されることができる。例えば、ギア噛合い方式でウォータリングモータの回転力が伝達されることができる。例えば、チェーン方式でウォータリングモータの回転力が伝達されることができる。例えば、クラッチ方式でウォータリングモータの回転力が伝達されることができる。
【０２３８】
前記動力伝達軸６４０は、上端及び下端に各々ねじ山６４３が形成される。
【０２３９】
上端ねじ山６４３は、ウォータリングハウジングカバー８６０と組み立てられる。下端ねじ山は、第２のカプラ６２０と組み立てられる。前記アッパーボディ１２０には、前記第２のカプラ６２０と結合される第１のカプラ６１０が配置される。
【０２４０】
前記アッパーボディ１２０には、ウォータリングモータ４２が配置される。前記ウォータリングモータ４２は、ウォータリングハウジング８００に回転力を提供する。
【０２４１】
前記エアークリーンモジュール１００に配置され、前記ウォータリングモータ４２に結合されたカプラを第１のカプラ６１０と定義する。前記エアーウォッシュモジュール２００に配置され、前記第１のカプラ６１０と分離可能に結合されるカプラを第２のカプラ６２０と定義する。
【０２４２】
前記第１のカプラ６１０または第２のカプラ６２０のうち、いずれか１つは、雄状で、他の１つは、雌状である。本実施形態では、第１のカプラ６１０が雄状であり、第２のカプラ６２０が雌状で製作される。本実施形態では、前記第１のカプラ６１０が第２のカプラ６２０に挿入される形態で分離可能に結合される。本実施形態とは異なり、前記第２のカプラ６２０が前記第１のカプラ６１０に挿入される形態で結合されることができる。
【０２４３】
前記ウォータリングモータ４２は、アッパーボディ１２０に設けられる。前記ウォータリングモータ４２は、前記送風モータ２２の上側に位置し、前記送風モータ２２と離間して位置する。前記アッパーボディ１２０内部に前記水槽３００が据え置かれる。前記水槽３００がアッパーボディ１２０に据え置かれるとき、前記第１、２のカプラ６１０、６２０が動力伝達可能に連結される。前記ウォータリングモータ４２のウォータリングモータ軸４３は、上側に向かうように配置される。前記ウォータリングモータ軸４３の上端に第１のカプラ６１０が設けられる。
【０２４４】
前記ウォータリングハウジング８００の各構成について説明すれば、次のとおりである。
【０２４５】
前記第１のウォータリングハウジング８２０は、上側及び下側が各々開口して形成され、内側面に揚水グルーブ８１０が形成される。前記第１のウォータリングハウジング８２０の下端が水槽３００の底面と所定間隔離間して吸入間隔８０１を形成する。
【０２４６】
第２のウォータリングハウジング８４０は、上側及び下側が各々開口して形成され、前記第１のウォータリングハウジング８２０の上端に組み立てられる。
【０２４７】
前記ウォータリングハウジングカバー８６０は、前記第２のウォータリングハウジング８４０の上端に結合され、前記第２のウォータリングハウジング８４０の上面をカバーする。
【０２４８】
前記ウォータリング動力伝達部８８０は、前記第１のウォータリングハウジング８２０または第２のウォータリングハウジング８４０のうち、少なくともいずれか１つと連結されて動力伝達モジュール６００の回転力が伝達される。本実施形態において前記ウォータリング動力伝達部８８０は、前記第１のウォータリングハウジング８２０に連結される。
【０２４９】
本実施形態とは異なり、前記第１のウォータリングハウジング８２０及び第２のウォータリングハウジング８４０は、一体に製作されることができる。また、本実施形態とは異なり、前記第１のウォータリングハウジング８２０及びウォータリングハウジングカバー８６０が一体に製作されることができる。
【０２５０】
前記第１のウォータリングハウジング８２０の上側断面が下側断面より広く形成される。前記第１のウォータリングハウジング８２０は、上下方向に傾斜を形成する。前記第１のウォータリングハウジング８２０は、下側断面が狭い円錐形態でありうる。
【０２５１】
前記第１のウォータリングハウジング８２０内部に揚水グルーブ８１０が形成される。前記揚水株部８１０は、上下方向に形成される。前記揚水グルーブ８１０は、ウォータリングモータ軸４３を中心に放射状に配置される。前記揚水グルーブ８１０は、複数個が配置され得るし、前記ウォータリングハウジング８００の軸中心に向かって突出される。
【０２５２】
前記第１のウォータリングハウジング８２０の下端は、水槽３００の内部底面と離間して吸入間隔８０１を形成する。第１のウォータリングハウジング８２０の上端は、第２のウォータリングハウジング８４０の下端と結合される。
【０２５３】
前記第１のウォータリングハウジング８２０及び第２のウォータリングハウジング８４０は、組立及び分解が可能である。本実施形態において前記第１のウォータリングハウジング８２０及び第２のウォータリングハウジング８４０は、ねじ結合によって組み立てられる。第１のウォータリングハウジング８２０の上側外周面にねじ山８２２が形成され、第２のウォータリングハウジング８４０の下側内周面にねじ山８４２が形成される。
【０２５４】
前記第１のウォータリングハウジング８２０に形成されたねじ山８２２を第１のねじ山８２２と定義し、前記第２のウォータリングハウジング８４０に形成されたねじ山８４２を第２のねじ山８４２と定義する。
【０２５５】
前記第１のねじ山８２２の下側に前記第２のウォータリングハウジング８４０の移動を制限する第１のバリア８２３が形成される。前記第１のバリア８２３は、前記第１のウォータリングハウジング８２０の円周方向に形成される。前記第１のバリア８２３は、帯形態で形成され、前記第１のウォータリングハウジング８２０の外側に突出されて形成される。
【０２５６】
第１のウォータリングハウジング８２０及び第２のウォータリングハウジング８４０の組立の際、前記第１のバリア８２３は、前記第２のウォータリングハウジング８４０の下端に密着される。前記第１のバリア８２３は、前記第１のねじ山８２２より外側にさらに突出されて形成される。
【０２５７】
前記第１のねじ山８２２及び第１のバリア８２３間に第１のパッキング８２５が配置される。前記第１のパッキング８２５は、第１のウォータリングハウジング８２０及び第２のウォータリングハウジング８４０間に水が漏れることを遮断する。前記第１のパッキング８２５は、弾性材質で形成される。前記第１のパッキング８２５は、リング形態で形成される。
【０２５８】
前記第１のパッキング８２５の位置を固定させるために、パッキング設置リブ８２４が配置される。前記パッキング設置リブ８２４は、第１のねじ山８２２の延長線上に配置されることができる。前記パッキング設置リブ８２４は、第１のねじ山８２２の一部でありうる。
【０２５９】
これにより、前記第１のねじ山８２２は複数個で形成され、不連続に分散されて配置されることができ、そのうちの１つが前記パッキング設置リブ８２４でありうる。
【０２６０】
前記第１のウォータリングハウジング８２０には、第１の噴射口４１１が配置される。本実施形態において前記第１の噴射口４１１は、２個が配置される。２個の第１の噴射口４１１は、互いに反対方向に向かうように形成される。
【０２６１】
前記第１の噴射口４１１は、第１のウォータリングハウジング８２０の内外側を連通させる。本実施形態では、前記第１の噴射口４１１の内側開口面積が外側開口面積より広く形成される。前記第１の噴射口４１１は、水槽加湿媒体５１に水を供給し、前記水槽加湿媒体５１を濡らす。前記第１の噴射口４１１は、水槽加湿媒体５１に向かって噴射されることができる。
【０２６２】
前記第２のウォータリングハウジング８４０の外周面には、ウォータリング羽根８５０が形成される。前記ウォータリング羽根８５０は、加湿空気を流動させることができる。前記ウォータリングハウジング８００の回転の際、前記ウォータリング羽根８５０は、周りの空気を引き込むことができる。前記ウォータリング羽根８５０は、空気を流動させる機能だけでなく、液滴を微細化させるレインビュー演出手段としての機能もある。
【０２６３】
前記ウォータリングハウジング８００が配置された加湿流路１０６の空気は、送風ファン２４の流動によりほとんど吐出流路１０７側に流動するが、前記ウォータリング羽根８５０の周りの空気はこれと反対に流動し得る。前記ウォータリング羽根８５０は、局所的に送風ファン２４による空気流動と反対に空気流動を形成させることができる。前記ウォータリング羽根８５０の形状によって送風ファン２４による流動と同じ方向に空気を流動させることもできる。このときにも、ウォータリング羽根８５０の回転によりウォータリングハウジング８００の周りの空気がウォータリングハウジング８００表面に集まるようにすることができる。
【０２６４】
前記ウォータリング羽根８５０による空気流動は、前記ウォータリングハウジング８００の周りの水粒子を水槽３００に流動させる効果がある。前記ウォータリング羽根８５０の回転は、風量を生成し、ウォータリングハウジング８００の周りの水粒子を引き込むという効果がある。
【０２６５】
これにより、前記ウォータリング羽根８５０による空気流動は、給水流路１０９からウォータリングハウジング８００の上部に水が落下するとき、落下する水をウォータリングハウジング８００側に集める役割を果たす。
【０２６６】
前記ウォータリングハウジング８００が回転されるとき、給水流路１０９を介して水が供給される場合、水が前記ウォータリングハウジング８００表面に当たって不規則に飛散することがある。前記ウォータリング羽根８５０による空気流動は、給水の際、飛散する水粒子をウォータリングハウジング８００表面側に集めることができる。
【０２６７】
前記第２のウォータリングハウジング８４０は、第２の噴射口４１２、４１３が形成される。前記第２の噴射口４１２、４１３は、ビジュアルボディ２１０に向かって水を噴射する。本実施形態において前記第２の噴射口４１２、４１３は、２個が配置される。前記第２の噴射口のうちの１つを第２−１の噴射口４１２といい、残りの１つを第２−２の噴射口４１３と定義する。
前記第２−１の噴射口４１２及び第２−２の噴射口４１３は、互いに異なる方向に向かうように配置される。本実施形態において前記第２−１の噴射口４１２及び第２−２の噴射口４１３は、互いに反対方向に向かうように配置される。前記第２−１の噴射口４１２及び第２−２の噴射口４１３は、動力伝達軸６４０を基準に対称して配置されることができる。
平面上から見たとき、前記第２−１の噴射口４１２及び第２−２の噴射口４１３は、１８０度の夾角を形成する。平面上から見たとき、前記第２−１の噴射口４１２は、ウォータリング羽根８５０の間に配置される。前記第２−２の噴射口４１３もウォータリング羽根８５０の間に配置される。
正面から見たとき、前記第２−１の噴射口４１２及び第２−２の噴射口４１３の高さは、ウォータリング羽根８５０と同じであるか、高く位置する。前記第２−１の噴射口４１２及び第２−２の噴射口４１３から噴射された水の軌跡Ｓ３、Ｓ４のうちの一部が前記ウォータリング羽根８５０の回転半径内に位置する。
これにより、前記ウォータリングハウジング８００が回転されるとき、前記第２−１の噴射口４１２及び第２−２の噴射口４１３から噴射された水のうちの一部は、前記ウォータリング羽根８５０と当たって飛散する。
本実施形態において前記第２−１の噴射口４１２及び第２−２の噴射口４１３は、所定の高低差を形成する。前記第２−１の噴射口４１２及び第２−２の噴射口４１３は、同じ高さに配置されない。
【０２６８】
前記第２−１の噴射口４１２及び第２−２の噴射口４１３が高低差を形成させることにより、ビジュアルボディ２１０に当たる水の位置を異なるように設定できる。これにより、前記ウォータリングハウジング８００が回転されるとき、第２−１の噴射口４１２から噴射された水と第２−２の噴射口４１３から噴射された水とが互いに異なる経路に通るようになる。
【０２６９】
前記第２の噴射口４１２、４１３からビジュアルボディ２１０の内側面に当たる水の軌跡Ｓ３を噴射ラインと定義する。
【０２７０】
前記第２−１の噴射口４１２が形成する噴射ラインを第１の噴射ラインＬ１と定義し、前記第２−２の噴射口４１３が形成される噴射ラインを第２の噴射ラインＬ２と定義する。
【０２７１】
前記ビジュアルボディ２１０に形成される前記噴射ラインは、直線のみを意味してはいない。前記噴射ラインは、前記噴射口から吐出される角度によって曲線を形成することもできる。
【０２７２】
また、前記噴射ラインの厚さは、噴射口の直径によって各々異なるように形成されることができる。すなわち、噴射口の直径が大きければ、噴射ラインが厚く形成され、直径が小さければ、薄く形成されることができる。
【０２７３】
本実施形態では、前記ビジュアルボディ２１０のいずれか１ヶ所を基準に第２−１の噴射口４１２から噴射された水が通った後、所定時間後に異なる高さに第２−２の噴射口４１３から噴射された水が通るようになる。すなわち、前記ビジュアルボディ２１０の内側面には、２個の噴射ラインＬ１、Ｌ２が形成され、このような視覚的演出を介して水が噴射されていることをユーザにより効果的に認知させることができる。
【０２７４】
一定の高さに配置された２個の第２の噴射口から水が吐出される場合、１個の噴射ラインのみが形成される。ウォータリングハウジング８００が高速で回転されれば、第１、２の噴射口１４２、１４３が反対方向に位置しても位相差が極めて短く形成され得る。この場合、１個の噴射ラインから水が流れ落ちることと錯視を起こすことができる。
【０２７５】
一方、２個の噴射ラインを形成する場合、水が当たる位置が異なるので、当たって発生される音も異なるように形成される。すなわち、第１の噴射ラインから発生される音と第２の噴射ラインから発生される音とが異なるように形成される。このような音響差を介してユーザは、ウォータリングハウジング８００が回転されていることを聴覚的にも確認することができる。
【０２７６】
１個の噴射ラインだけが形成される場合、同じ音が持続的に生成されるので、ユーザがこれを認知できないか、単純騷音と誤認することができる。
【０２７７】
前記複数個の噴射ラインを介した音響差は、低視力者または聴覚障害者らに作動状況を効果的に伝達する効果がある。また、光がない状況でも加湿清浄装置が作動中であることを容易に確認することができる。
【０２７８】
前記第２の噴射口４１２、４１３のうち、少なくとも１つは、ウォータリングハウジングカバー８６０に一部が遮られるように配置されることができる。本実施形態では、前記第２−１の噴射口４１２は、完全開放された状態で配置され、第２−２の噴射口４１３は、ウォータリングハウジングカバー８６０に一部がオーバーラップされて遮られる。
【０２７９】
前記ウォータリングハウジングカバー８６０は、前記第２−２の噴射口４１３の前に位置する。前記ウォータリングハウジングカバー８６０は、前記第２−２の噴射口４１３の上側を一部遮る。
【０２８０】
本実施形態では、ウォータリングハウジングカバー８６０が第２のウォータリングハウジング８４０と結合されるとき、第２−２の噴射口４１３の一部とオーバーラップされる。本実施形態では、前記ウォータリングハウジングカバー８６０が拡散部材として使用される。本実施形態とは異なり、前記噴射口から噴射される水を広く拡散させる別の拡散部材が配置され得る。
【０２８１】
例えば、前記ウォータリングハウジングを射出するとき、意図的にバー（ｂｕｒｒ）を形成させ、前記バーを介して噴射される水を拡散させることができる。
【０２８２】
前記第２−２の噴射口４１３から噴射された水は、前記拡散部材と干渉されて、噴射角及び幅が変更され得る。前記拡散部材と干渉された水は、表面張力により拡散部材側へ引っ張られる。
【０２８３】
拡散部材とのオーバーラップが形成されていない第２−１の噴射口４１２では、噴射口の直径と吐出された水の直径とが類似して形成される。前記ウォータリングハウジングカバー８６０とオーバーラップが形成された第２−２の噴射口４１３では、噴射口の直径よりさらに広い範囲に水が噴射される。
【０２８４】
前記第２−１の噴射口４１２から噴射される水の軌跡をＳ３と定義し、前記第２−２の噴射口４１３から噴射される水の軌跡をＳ４と定義する。
【０２８５】
前記第２−２の噴射口４１３は、前記第２−１の噴射口４１２より少し高く位置する。前記第２−２の噴射口４１３は、拡散部材であるウォータリングハウジングカバー８６０のカバーボディボーダー８６３と一部がオーバーラップされる。
【０２８６】
前記第２−２の噴射口４１３を介して噴射された水は、前記カバーボディボーダー８６３と干渉されながら噴射されるので、噴射される水がより微細化されて噴射される。
【０２８７】
前記第２−２の噴射口４１３から噴射された液滴は、第２−１の噴射口４１２から噴射された液滴より小さく形成される。前記第２−２の噴射口４１３から噴射された液滴の軌跡Ｓ４は、第２−１の噴射口４１２から噴射された軌跡Ｓ３より上側に形成される。前記第２−２の噴射口４１３から噴射された液滴は、第２−１の噴射口４１２から噴射された液滴より広く噴射される。これにより、前記第２−１の噴射口４１２が形成する噴射ラインＬ１に比べて、オーバーラップされた前記第２−２の噴射口４１３が形成する噴射ラインＬ２の幅がより広く形成される。
【０２８８】
一方、前記ウォータリング羽根８５０は、ウォータリングハウジング８００の周りの空気を流動させるだけでなく、噴射口４１０から噴射された水を微細化させることができる。
【０２８９】
本実施形態では、前記第２の噴射口４１２、４１３から噴射された水がウォータリング羽根８５０と当たって微細化される。前記ウォータリング羽根８５０は、水をミスト形態で微細化させることができる。
【０２９０】
前記ウォータリング羽根８５０は、前記第２の噴射口４１２、４１３から噴射される全ての水を微細化させてはいない。前記第２の噴射口４１２、４１３から噴射された水のうちの一部が前記ウォータリング羽根８５０と当たる。
【０２９１】
前記第２の噴射口４１２、４１３から噴射された水は、所定の軌跡Ｓ３を形成し、回転されるウォータリング羽根８５０が前記軌跡Ｓ３上の水と当たる。すなわち、前記第２の噴射口４１２、４１３から噴射された水の中で、一部はウォータリング羽根８５０と当たって飛散し、残りはウォータリング羽根８５０と当たらずにビジュアルボディ２１０の内側面に当たる。
【０２９２】
前記ウォータリング羽根８５０に当たった水は、特定方向でない加湿流路１０６で広く飛散する。例えば、ウォータリング羽根８５０から飛散した水は、吐出加湿媒体５５を濡らすことができる。ウォータリング羽根８５０から飛散した水は、ビジュアルボディ２１０に結ばれることができる。ウォータリング羽根８５０から飛散した水は、加湿流路１０６上で浮遊されることができる。
【０２９３】
前記ウォータリング羽根８５０により微細化された水は、レインビューを演出するのに効果的である。微細化された液滴は、ビジュアルボディ２１０の内側面に小さな液滴形態で結ばれる。
【０２９４】
前記ウォータリング羽根８５０の代わりに、ウォータリングハウジング８００及びビジュアルボディ２１０間にレインビュー演出手段を配置することができる。前記噴射口４１０から噴射された水がレインビュー演出手段に当たって飛散することができる。例えば、前記ビジュアルボディ２１０及びウォータリングハウジング８００間にレインビュー演出手段としてメッシュ（ｍｅｓｈ）を配置することができる。前記ウォータリングハウジング８００から噴射された水がメッシュを通過しながらより小さな液滴に粉砕された後、飛散することができる。
【０２９５】
一方、前記加湿流路１０６で発生されるレインビューは、レナード効果（Ｌｅｎａｒｄ  ｅｆｆｅｃｔ）により陰イオンを生成させることができる。
【０２９６】
レナード効果は、水が大きい外力を受けて粉砕されるとき、多量の陰イオンが発生される現象である。
【０２９７】
レインビューを演出する過程で液滴等が飛散し、当たり、この過程で多量の陰イオンが生成される。
【０２９８】
第１の噴射口４１１から噴射された水が構造物と当たるとき、レナード効果により陰イオンが生成され得る。
【０２９９】
また、第２の噴射口４１２、４１３から噴射された水がビジュアルボディ２１０に当たるとき、レナード効果により陰イオンが生成され得る。
【０３００】
また、第２の噴射口４１２、４１３から噴射された水がウォータリング羽根８５０と当たるとき、レナード効果により陰イオンが生成され得る。
【０３０１】
また、上部給水の際、ウォータリングハウジングカバー８６０から飛散した液滴が様々な構造物に当たるとき、レナード効果により陰イオンが生成され得る。
【０３０２】
このように、本実施形態においてレインビューを演出するための様々な大きさの液滴等は、生成過程で陰イオンを生成させる効果がある。前記生成された陰イオン等は、吐出流路１０７を介して室内に吐出される。
【０３０３】
一方、前記第２のウォータリングハウジング８４０の内部には、水膜回転流動を抑制する水膜抑制リブ８７０が形成される。前記水膜回転流動は、ウォータリングハウジング８００の内側面に沿って回転される流動を意味する。
【０３０４】
前記第１のウォータリングハウジング８２０の揚水グルーブ８１０は、前記水膜回転流動を形成させるためのものであり、前記水膜抑制リブ８７０は、前記水膜回転流動を抑制させるためのものである。
【０３０５】
前記第１のウォータリングハウジング８２０では、水を揚水して第２のウォータリングハウジング８４０まで上昇させなければならないので、水膜回転流動を積極的に発生させるが、前記第２のウォータリングハウジング８４０まで上昇した水は、水膜回転流動が形成されないほど、第２の噴射口４１２、４１３を介しての噴射が容易である。
【０３０６】
前記第２のウォータリングハウジング８４０内部で高速の水膜回転流動が形成される場合、水が第２の噴射口を介して吐出されず、内部に沿って流動するようになる。
【０３０７】
また、前記第２のウォータリングハウジング８４０に多量の水が留まるほど、ウォータリングハウジング８００の振動が大きく形成される。前記第２のウォータリングハウジング８４０まで揚水された水が第２の噴射口４１２、４１３を介して迅速に噴射されてはじめてウォータリングハウジング８００の偏心を最小化でき、これによる振動も最小化させることができる。
【０３０８】
前記水膜抑制リブ８７０は、水膜回転流動を最小化させ、これを介してウォータリングハウジング８００の偏心及び振動を最小化させる機能を果たす。
【０３０９】
前記水膜抑制リブ８７０は、第２のウォータリングハウジング８４０の内側面から突出されて形成される。本実施形態において前記水膜抑制リブ８７０は、動力伝達軸６４０に向かって突出されて形成される。前記水膜抑制リブ８７０は、水膜回転流動と交差する方向に形成される。
【０３１０】
前記水膜回転流動は、第２のウォータリングハウジング８４０の内側面に沿って螺旋形または円形で流動するところ、前記水膜抑制リブ８７０は、上下方向に形成されることが好ましい。
【０３１１】
本実施形態において前記水膜抑制リブ８７０は、垂直方向に形成される。前記水膜抑制リブ８７０は、複数個が形成され得る。本実施形態において前記水膜抑制リブ８７０は、３個が配置される。複数個の前記水膜抑制リブ８７０は、ウォータリングハウジング内周面に対して等間隔に配置される。
【０３１２】
本実施形態において前記水膜抑制リブ８７０の突出長さは５ｍｍである。前記水膜抑制リブ８７０の突出長さは、水膜回転流動の厚さと連関したものであって、実施形態によって様々に変更されることができる。
【０３１３】
本実施形態において前記水膜抑制リブ８７０は、ウォータリング動力伝達部８８０と連結されて形成される。本実施形態とは異なり、水膜抑制リブ８７０及びウォータリング動力伝達部８８０を分離して配置することができる。
【０３１４】
本実施形態では、前記水膜抑制リブ８７０をウォータリング動力伝達部８８０と連結されるように製作することにより、金型を簡素化できる。
【０３１５】
前記ウォータリング動力伝達部８８０は、動力伝達軸６４０の回転力をウォータリングハウジング８００に伝達するための構成である。
【０３１６】
本実施形態において前記ウォータリング動力伝達部８８０は、第２のウォータリングハウジング８４０と連結される。本実施形態とは異なり、前記ウォータリング動力伝達部８８０は、第１のウォータリングハウジング８２０と連結されることもできる。
【０３１７】
本実施形態において前記ウォータリング動力伝達部８８０は、第２のウォータリングハウジング８４０と一体に製作される。本実施形態とは異なり、前記ウォータリング動力伝達部８８０は、別に製作された後、第２のウォータリングハウジング８４０に組み立てられることができる。
【０３１８】
前記ウォータリング動力伝達部８８０は、ウォータリングハウジング８００の軸中心に位置するブッシュ設置部８８２と、前記ブッシュ設置部８８２及びウォータリングハウジング８００を連結するウォータリング連結部８８４とを備える。本実施形態において前記ブッシュ設置部８８２、ウォータリング連結部８８４、及び第２のウォータリングハウジング８２０は、射出されて一体に製作される。
【０３１９】
前記ウォータリング連結部８８４は、リブ形態で製作される。前記ウォータリング連結部８８４は、軸中心を基準に放射状に配置され、複数個が形成される。
【０３２０】
本実施形態において前記ウォータリング連結部８８４は、水膜抑制リブ８７０と一体に製作される。前記ウォータリング連結部８８４及び水膜抑制リブ８７０は、連結されて形成される。
【０３２１】
前記動力伝達軸６４０は、前記ブッシュ設置部８８２を貫通するように設けられる。
【０３２２】
前記ブッシュ設置部８８２の下側は、開口して形成される。前記ブッシュ設置部８８２の開口した下側を介してブッシュ９０が挿入される。
【０３２３】
前記ブッシュ設置部８８２及びブッシュ９０は、上下方向には分離されることができる。前記ブッシュ設置部８８２及びブッシュ９０は、回転方向には相互係止を形成する。
【０３２４】
このために、前記ブッシュ設置部８８２またはブッシュ９０のうち、いずれか１つにブッシュ係止部９３が形成され、他の１つにブッシュ係止溝８８３が形成される。本実施形態では、ブッシュ９０にブッシュ係止部９３が形成され、ブッシュ設置部８８２にブッシュ係止溝８８３が形成される。
【０３２５】
前記ブッシュ係止溝８８３は、ブッシュ設置部８８２の内側面に形成され、窪んだ形状である。前記ブッシュ係止部９３は、ブッシュ９０の外側面に形成され、膨らんだ形状である。
【０３２６】
前記ブッシュ係止部９３は、ブッシュ係止溝８８３に挿入されて挟まれる。
【０３２７】
本実施形態とは異なり、ブッシュ設置部８８２及びブッシュ９０を一体に製作することができる。前記ブッシュ９０が金属材質で形成されるので、第２のウォータリングハウジング８４０を製作するとき、金型内にブッシュ９０を配置した後、第２のウォータリングハウジング材質を射出して一体に製作することができる。
【０３２８】
前記ブッシュ９０は、動力伝達モジュール６００の動力伝達軸６４０と結合される。
【０３２９】
前記ブッシュ９０は、前記動力伝達軸６４０と結合されて回転力が伝達される。前記ブッシュ９０は、金属材質で形成されることが好ましい。硬い金属材質でない場合、摩耗が発生する可能性があり、これは、振動の原因となる。
【０３３０】
前記ブッシュ９０は、上下方向に貫通されたブッシュ軸中空が形成される。前記ブッシュ軸中空に前記動力伝達軸６４０が挿入される。
【０３３１】
前記ブッシュ９０は、前記ウォータリングハウジング８００が回転されるとき、振動を低減させる。前記ブッシュ９０は、動力伝達軸６４０上に位置する。本実施形態において前記ブッシュ９０は、前記ウォータリングハウジング８００の重心に位置する。前記ブッシュ９０が、ウォータリングハウジング８００の重心が位置するので、回転の際、ウォータリングハウジング８００の振動を大幅低減することができる。
【０３３２】
前記ブッシュ９０と動力伝達軸６４０とは、嵌合により組み立てられる。前記ブッシュ９０は、前記動力伝達軸６４０に支持される。
【０３３３】
前記ブッシュ９０を支持するために、動力伝達軸６４０は軸支持端６４２が形成される。前記軸支持端６４２を基準に上側の直径が小さく、下側の直径が大きい。
【０３３４】
前記ブッシュ９０は、前記動力伝達軸６４０の上側端を介して挿入される。
【０３３５】
前記軸支持端６４２は、摩耗を最小化するために、テーパ、チャンパ、またはラウンド状に形成されることができる。前記軸支持端６４２を直角に形成する場合、組立過程または作動過程で摩耗が発生し得る。
【０３３６】
前記軸支持端６４２が摩耗される場合、ブッシュ９０が動きながら振動を発生させる原因となる。また、軸支持端６４２が摩耗される場合、ブッシュ９０が傾いたり、移動されることができ、このため、動力伝達軸６４０と整列不良を発生させることができる。また、ブッシュ９０及び動力伝達軸６４０の整列不良が発生される場合、回転の際、偏心が発生し、これによる振動が発生される。
【０３３７】
前記ウォータリングハウジングカバー８６０は、第２のウォータリングハウジング８４０の上側に結合され、前記第２のウォータリングハウジング８４０の上側を密閉させる。前記ウォータリングハウジングカバー８６０は、第２のウォータリングハウジング８４０とねじ結合される。
【０３３８】
本実施形態において前記ウォータリングハウジングカバー８６０は、動力伝達モジュール６００と組み立てられる。本実施形態とは異なり、前記ウォータリングハウジングカバー８６０は、動力伝達モジュール６００と分離された状態を形成しても構わない。
【０３３９】
前記ウォータリングハウジングカバー８６０が動力伝達軸６４０と結合される場合、ウォータリングハウジング８００の偏心及び振動をより効果的に低減させることができる。
【０３４０】
前記ウォータリングハウジングカバー８６０は、前記第２のウォータリングハウジング８４０の上側開口部をカバーするカバーボディ８６２と、前記カバーボディ８６２から下側へ延びて形成され、前記第２のウォータリングハウジング８４０の上端を囲むカバーボディボーダー８６３と、前記カバーボディ８６２の下側に形成され、前記カバーボディボーダー８６３と所定間隔離間して形成されたパッキング設置リブ８６４と、前記動力伝達軸６４０に固定される軸固定部８６６と、前記軸固定部８６６及びパッキング設置リブ８６４を連結する補強リブ８６８とを備える。
【０３４１】
前記カバーボディ８６２は、平面から見たとき、円形に形成される。前記カバーボディ８６２の直径は、第２のウォータリングハウジング８４０の直径より大きく形成される。
【０３４２】
本実施形態とは異なり、前記カバーボディ８６２の平面形状は円形でなくても構わない。また、前記ウォータリングハウジング８００の平面形状も特定形状に制限されない。
【０３４３】
前記カバーボディボーダー８６３は、前記カバーボディ８６２の枠を形成する。前記カバーボディボーダー８６３は、リング形状に形成され、前記カバーボディ８６２と一体に製作される。前記カバーボディボーダー８６３は、外側面に複数個の突起８６１が形成され、前記突起８６１は、円周方向に沿って３６０度形成される。前記突起８６１は、ウォータリングハウジングカバー８６０を分離するとき、ユーザにグリップ感を提供する。
【０３４４】
また、前記突起８６１は、上部給水の際、落下する水を効果的に飛散させることができる。上部給水を介して落下する水は、ウォータリングハウジングカバー８６０に落下し、ウォータリングハウジング８００の回転により前記カバーボディボーダー８６３に流動する。その後、前記突起８６１から水滴形態に分離された後、ビジュアルボディ２１０内側面に撒かれる。前記突起８６１は、上部給水された水を効果的に飛散させることができる。
【０３４５】
前記パッキング設置リブ８６４は、前記カバーボディボーダー８６３の内側に位置し、前記カバーボディボーダー８６３と所定距離離間する。前記カバーボディボーダー８６３及びパッキング設置リブ８６４間に第２のパッキング８６５が設けられる。
【０３４６】
前記第２のパッキング８６５を介してウォータリングハウジングカバー８６０及び第２のウォータリングハウジング８４０間を密閉させることができる。前記第１のパッキング８２５及び第２のパッキング８６５を介してハウジング空間８０５の水の漏水を遮断するので、噴射口４１０を介して吐出される水の圧力を一定に維持することができる。
【０３４７】
前記第１のウォータリングハウジング８２０及び第２のウォータリングハウジング８４０間で水が漏水したり、または第２のウォータリングハウジング８４０及びウォータリングハウジングカバー８６０間で水が漏水する場合、噴射口４１０から吐出される水の圧力を一定に維持し難い。
【０３４８】
すなわち、ウォータリングハウジング８００で水の漏水が発生される場合、ウォータリングハウジング８００を回転させても噴射口４１０から水が噴射されないことがある。
【０３４９】
前記カバーボディボーダー８６３及び第２のウォータリングハウジング８４０は、ねじ結合されることができる。本実施形態において前記ウォータリングハウジングカバー８６０及び第２のウォータリングハウジング８４０は、抑止嵌込されて組み立てられる。
【０３５０】
前記軸固定部８６６は、動力伝達軸６４０と組み立てられ、前記動力伝達軸６４０から回転力が伝達される。
【０３５１】
前記軸固定部８６６及び動力伝達軸６４０は、ねじ結合されることができる。このために、前記動力伝達軸６４０の上端外周面には、前記ウォータリングハウジングカバー８６０とのねじ結合のためのねじ山６４３が形成される。
【０３５２】
前記軸固定部８６６には、前記動力伝達軸６４０と組み立てられるためのねじ山が形成され得る。本実施形態では、前記軸固定部８６６に軸固定部材８６７が配置され、前記軸固定部材８６７は、前記軸固定部８６６に二重射出されて一体化する。本実施形態において前記軸固定部材８６７は、ナットが使用される。
【０３５３】
前記ウォータリングハウジングカバー８６０とは異なり、前記軸固定部材８６７は、金属材質が使用される。動力伝達軸６４０が金属材質で形成されるところ、前記動力伝達軸６４０とねじ結合される部分も金属材質で形成されてはじめて締結時の摩耗や損傷を防止できる。前記ウォータリングハウジングカバー８６０全体が金属材質で形成される場合、または前記軸固定部８６６が金属材質で形成される場合、前記軸固定部８６６自体にねじ山を形成させることが好ましい。
【０３５４】
前記ウォータリングハウジングカバー８６０は、第２のウォータリングハウジング８４０の直径より大きく形成される。上側から見たとき、前記ウォータリングハウジングカバー８６０のみ露出し、第２のウォータリングハウジング８４０及び第１のウォータリングハウジング８２０は露出しない。
【０３５５】
これにより、前記給水流路１０９に供給された水のうち、少なくとも一部は、前記ウォータリングハウジングカバー８６０に落下し得る。前記ウォータリングハウジング８００が回転される場合、前記ウォータリングハウジングカバー８６０に落下した水は、前記ウォータリングハウジングカバー８６０表面から半径方向外側に噴射される。
【０３５６】
回転されるウォータリングハウジングカバー８６０は、給水された水を回転方向に沿って噴射させ、傘から水が落ちるような効果を実現できる。特に、前記ウォータリングハウジングカバー８６０の円周方向に配置された複数個の突起８６１から水滴が剥離され得る。
【０３５７】
前記ウォータリングハウジングカバー８６０から回転方向に噴射される水等は、ビジュアルボディ２１０の内側面に当たり、レインビューを演出できる。
【０３５８】
前記レインビューは、前記ビジュアルボディ２１０の内側面に結ばれた液滴等が雨粒が流れ落ちるように現れる状況を意味する。
【０３５９】
本実施形態において前記ウォータリンググルーブ８１０は、水槽３００の水を効果的に揚水できる形態で設計される。本実施形態において前記ウォータリンググルーブ８１０は、噴射口４１０より低く位置する。特に、前記ウォータリンググルーブ８１０は、第１の噴射口４１１より低く形成される。
【０３６０】
前記ウォータリンググルーブ８１０は、水に対して水平方向回転力を垂直方向に切り換える。前記ウォータリンググルーブ８１０が形成される場合、垂直方向に水がより効果的に揚水され得る。
【０３６１】
本実施形態において前記ウォータリンググルーブ８１０は、ウォータリングハウジング８００の内側面に形成され、内側に向かって突出される。前記ウォータリンググルーブ８１０は、上下方向に長く延びて形成される。本実施形態とは異なり、前記ウォータリンググルーブ８１０は、ジグザグ形態で形成されることもできる。本実施形態では、第１のウォータリングハウジング８２０を射出で製作するので、前記ウォータリンググルーブ８１０を上下方向に配置して金型を容易に引き出すことができる。
【０３６２】
図１８は、図７に示された吐出加湿媒体ハウジングの斜視図であり、図１９は、図１８の下側から見た斜視図であり、図２０は、図１８の正面図であり、図２１は、図２０のＡ−Ａに沿って切断された断面図であり、図２２は、図２１のＢが示された拡大図であり、図２３は、図１８のＣが示された拡大図であり、図２４は、図１８の分解斜視図であり、図２５は、図２４の下側から見た斜視図であり、図２６は、図２４の正面図であり、図２７は、図２６のＥ−Ｅに沿って切断された断面図であり、図２８は、図２４のＤが示された拡大図であり、図２９は、図２７のＦが示された拡大図である。
【０３６３】
図面を参照して吐出加湿媒体ハウジングについてより詳細に説明する。
【０３６４】
本実施形態では、加湿媒体５０の中で吐出加湿媒体５５が設けられるハウジングを吐出加湿媒体ハウジング１４００と定義する。
【０３６５】
本実施形態において前記吐出加湿媒体ハウジング１４００は、吐出流路１０７上に配置される。前記吐出加湿媒体ハウジング１４００は、トップカバーアセンブリ２３０に設けられることができる。前記吐出加湿媒体ハウジング１４００は、トップカバーアセンブリ２３０と一体に製作されることができる。
【０３６６】
本実施形態において前記吐出加湿媒体ハウジング１４００は、トップカバーアセンブリ２３０と別個の構造物で製作される。前記吐出加湿媒体ハウジング１４００は、トップカバーアセンブリ２３０の下側に配置される。前記吐出加湿媒体ハウジング１４００は、トップカバーアセンブリ２３０に脱着可能に組み立てられることができる。本実施形態において前記吐出加湿媒体ハウジング１４００は、ビジュアルボディ２１０に据え置かれる。
【０３６７】
前記トップカバーアセンブリ２３０は、給水流路１０９のうちの一部を形成し、後述する給水キャップ１４３０をユーザに露出させる。
【０３６８】
前記吐出加湿媒体ハウジング１４００は、外側に空気が通過され、内側には水が通過され得る。空気は、下側から上側に通過され、水は、上側から下側に通過される。
【０３６９】
前記吐出加湿媒体ハウジング１４００は、外側に空気が通過される吐出流路１０７を提供し、内側に水が通過される給水流路１０９を提供する。
【０３７０】
前記吐出加湿媒体ハウジング１４００は、アッパーハウジング１４１０、ロアハウジング１４２０、及び給水キャップ１４３０を備える。前記アッパーハウジング１４１０及びロアハウジング１４２０間に前記吐出加湿媒体５５が配置される。
【０３７１】
前記アッパーハウジング１４１０及びロアハウジング１４２０は、複数個の空隙が形成される。
【０３７２】
前記アッパーハウジング１４１０は、全体的にドーナッツ状で形成される。
【０３７３】
前記アッパーハウジング１４１０は、中央に配置されたアッパーインナーフレーム１４１２と、前記アッパーインナーフレーム１４１２の中央に形成され、給水流路１０９を提供するアッパーハウジング開口部１４１５と、前記アッパーインナーフレーム１４１２と離間し、外郭に配置されるアッパーアウターフレーム１４１４と、前記アッパーインナーフレーム１４１２及びアッパーアウターフレーム１４１４を連結させるアッパーメッシュフレーム１４１６とを備える。
【０３７４】
前記ロアハウジング１４２０は、全体的にドーナッツ状で形成される。
【０３７５】
前記ロアハウジング１４２０は、中央に配置されたロアインナーフレーム１４２２、前記ロアインナーフレーム１４２２の中央に形成され、給水流路１０９を提供するロアハウジング開口部１４２５と、前記ロアインナーフレーム１４２２と離間し、外郭に配置されるロアアウターフレーム１４２４と、前記ロアインナーフレーム１４２２及びロアアウターフレーム１４２４を連結させるロアメッシュフレーム１４２６とを備える。
【０３７６】
前記アッパーハウジング１４１０及びロアハウジング１４２０の形状は、互いに対応する。
【０３７７】
前記アッパーハウジング開口部１４１５及びロアハウジング開口部１４２５は、互いに連通される。
【０３７８】
前記アッパーハウジング１４１０及びロアハウジング１４２０は、互いに組み立てられる。本実施形態において前記アッパーハウジング１４１０及びロアハウジング１４２０は、嵌合される。このために、前記アッパーハウジング１４１０またはロアハウジング１４２０のうち、いずれか１つには、嵌入突起１４１１、１４１３が形成され、他の１つには嵌入溝１４２１、１４２３が形成される。
【０３７９】
本実施形態において嵌入突起１４１１、１４１３は、アッパーハウジング１４１０に形成され、嵌入溝１４２１は、ロアハウジング１４２０に形成される。前記嵌入突起は、アッパーインナーフレーム１４１２及びアッパーアウターフレーム１４１４に各々形成される。前記嵌入溝は、ロアインナーフレーム１４２２及びロアアウターフレーム１４２４に各々形成される。
【０３８０】
前記給水キャップ１４３０は、前記アッパーハウジング１４１０またはロアハウジング１４２０のうち、少なくともいずれか１つと結合されることができる。本実施形態において前記給水キャップ１４３０は、ロアハウジング１４２０と分離可能に嵌合される。本実施形態とは異なり、前記給水キャップ１４３０は、アッパーハウジング１４１０に分離可能に設けられることもできる。
【０３８１】
前記給水キャップ１４３０及びロアハウジング１４２０の分離可能な結合のために、結合突起１４３７及び結合溝１４２７が形成される。
【０３８２】
前記給水キャップ１４３０またはロアハウジング１４２０のうち、いずれか１つには、結合突起１４３７が形成され、他の１つには、結合溝１４２７が形成される。本実施形態では、給水キャップ１４３０に結合突起１４３７が形成され、ロアハウジング１４２０に結合溝１４２７が形成される。
【０３８３】
前記結合突起１４３７及び結合溝１４２７は、水平方向に対して嵌合される。
【０３８４】
前記結合突起１４３７は、給水キャップ１４３０の半径方向外側に突出されて形成される。前記結合溝１４２７は、ロアハウジング１４２０の中央側に開放されて形成される。
【０３８５】
前記結合突起１４３７は、３個が等間隔に配置され、結合溝１４２７は、これに対応して形成される。また、前記結合溝１４２７には、前記結合突起１４３７と相互係止する結合突起係止部１４２８が形成される。前記結合突起係止部１４２８は、ロアハウジング１４２０の半径方向に対して相互係止する。
【０３８６】
前記結合突起係止部１４２８は、ロアハウジング１４２０の半径方向内側に突出されて形成されることができる。
【０３８７】
ユーザは、前記給水キャップ１４３０をロアハウジング開口部１４２５に挿入した後、時計方向に回転させて前記結合突起１４３７及び結合溝１４２７を結合させることができる。前記結合突起１４３７が前記結合溝１４２７に結合される過程で前記結合突起１４３７が前記結合突起係止部１４２８を乗り越えながら「カチッ」という操作音及び操作感を形成させる。
【０３８８】
一方、前記吐出加湿媒体ハウジング１４００には、給水される水を一時保存し、保存された水を下側に排水する給水構造１４４０が形成される。
【０３８９】
前記給水構造１４４０は、前記給水流路１０９上に配置され、水が一時保存されるリザーバ（１４４１、ｒｅｓｅｒｖｏｉｒ）と、前記給水リザーバ１４４１から前記水槽３００に水を排水させる給水口１４４５とを備える。
【０３９０】
前記リザーバ１４４１は、いずれか１つの構造物に形成されることもできる。本実施形態では、複数個の構造物の結合によって前記給水リザーバ１４４１を形成させる。
【０３９１】
前記給水リザーバ１４４１は、給水流路１０９上に配置されたアッパーハウジング１４１０、ロアハウジング１４２０、給水キャップ１４３０のうち、少なくともいずれか１つに形成されることができる。前記リザーバ１４４１は、給水流路１０９上に配置されたアッパーハウジング１４１０、ロアハウジング１４２０、給水キャップ１４３０のうち、少なくともいずれか１つとの結合によって形成されることができる。
【０３９２】
本実施形態では、ロアハウジング１４２０及び給水キャップ１４３０の結合によって前記給水リザーバ１４４１が形成される。
【０３９３】
前記ロアハウジング１４２０は、リザーバベース１４４２及びリザーバウォール１４４４を備える。
【０３９４】
前記リザーバベース１４４２及びリザーバウォール１４４４は、ロアインナーフレーム１４２２に形成される。
【０３９５】
前記リザーバベース１４４２は、水平に配置され、吐出加湿媒体５５は、前記リザーバベース１４４２の上側に位置する。前記リザーバベース１４４２とロアメッシュフレーム１４２６とが連結される。
【０３９６】
前記リザーバウォール１４４４は、前記リザーバベース１４４２から上側に突出されて形成される。前記リザーバウォール１４４４の内側に前記ロアハウジング開口部１４２５が配置され、外側に吐出加湿媒体５５が配置される。前記給水キャップ１４３０は、前記リザーバウォール１４４４の内側に位置する。
前記給水リザーバ１４４１は、リザーバウォール１４４４の内側、リザーバベース１４４２の上側、及び給水キャップ１４３０の外側の間に形成される。
【０３９７】
前記リザーバベース１４４２には、給水口１４４５、嵌入溝１４２３、結合溝１４２７が形成される。前記給水口１４４５及び嵌入溝１４２３は、リザーバウォール１４４４の内側に配置され、結合溝１４２７は、リザーバウォール１４４４の外側に配置される。
【０３９８】
前記給水口１４４５は、スリット形態で形成される。前記給水口１４４５は、上下方向に開口して形成される。前記給水口１４４５は、平面から見たとき、円弧形状に形成される。前記給水口１４４５は、前記リザーバウォール１４４４の内側境界に沿って形成される。
【０３９９】
前記給水口１４４５を形成するスリットの幅は、０．７〜０．８ｍｍに形成され、長さは制限がない。
【０４００】
前記給水口１４４５は、上下方向断面から見たとき、上側断面が広く、下側断面が狭く形成される。前記給水口１４４５の断面は、上下方向から見たとき、下方が尖ったホッパー形状に形成される。
【０４０１】
前記給水口１４４５は、このような断面形状を介して空気の流動を遮断し、水は、下側に排水されるようにすることができる。
【０４０２】
加湿清浄装置が作動されるとき、空気は、加湿流路１０６から吐出流路１０７に流動するところ、前記給水口１４４５を介しても一部吐出されることができる。しかし、前記給水リザーバ１４４１に水が保存されれば、前記給水口１４４５を介して空気が吐出されない。前記給水リザーバ１４４１に保存された水の自重が空気の圧力より大きいためである。
【０４０３】
前記給水口１４４５の断面を広く形成する場合、空気が吐出され得るし、この過程で給水リザーバ１４４１に保存された水が上側に飛び散るという問題点が生じる。
【０４０４】
本実施形態に係る給水構造１４４０は、加湿清浄装置が作動されるとき、給水をしても給水リザーバ１４４１で水が給水反対方向に飛び散ることを防止できる。
【０４０５】
前記給水リザーバ１４４１の容量を調節して、給水口１４４５から空気が吐出されることを防止できる。例えば、給水口１４４５を介して吐出可能な風圧より給水リザーバ１４４１に保存された水の自重による圧力がより大きいように製作することができる。
【０４０６】
合わせて、スリット形態で製作された前記給水口１４４５の幅を狭く形成する場合、抵抗により空気が前記吐出加湿媒体５５に流動するようにすることができる。前記吐出加湿媒体５５の空隙が給水口１４４５の断面積より大きい場合、空気は、抵抗が小さい吐出加湿媒体５５の方に流動する。それに対し、前記給水リザーバ１４４１に水が保存される場合、自重により水は給水口１４４５を介して排水される。
【０４０７】
このように、様々な方法により前記給水口１４４５を介して空気が吐出されることを防止できる。
【０４０８】
ユーザが給水キャップ１４３０の上に水を供給すれば、供給された水は、給水リザーバ１４４１に一時保存される。前記給水リザーバ１４４１に保存された水は、給水口１４４５を介して下側に排水される。前記給水リザーバ１４４１の水は、リザーバベース１４４２に形成された結合溝１４２７を介しても排水されることができる。前記給水リザーバ１４４１の水は、ロアハウジング開口部１４２５を介しても排水されることができる。
【０４０９】
前記給水リザーバ１４４１の容量より多い水が供給される場合、リザーバウォール１４４４を越えて外へ溢れることができる。前記リザーバウォール１４４４の外へ水が溢れても、給水された水は、ビジュアルボディ２１０に落下したり、流れ落ちる。前記ビジュアルボディ２１０に沿って流れ落ちた水も前記水槽３００の内部に案内される。
【０４１０】
本実施形態に係る加湿清浄装置は、作動と関係なく、水槽３００に水を供給できるという長所がある。
【０４１１】
本実施形態では、トップカバーアセンブリ２３０の下側に吐出加湿媒体ハウジング１４００が配置されたが、本実施形態とは異なり、トップカバーアセンブリ２３０の構成無しでも加湿清浄装置を構成できる。すなわち、給水キャップ１４３０が配置された吐出加湿媒体ハウジング１４００が外部に露出し、前記給水キャップ１４３０に水を注いで上部給水を実現できる。
【０４１２】
以下、上部給水の際、水の流動についてより詳細に説明する。
【０４１３】
上部給水された水は、前記トップカバーアセンブリ２３０を通過して下方に落下する。
【０４１４】
本実施形態において前記トップカバーアセンブリ２３０から落下した水は、水槽３００の水面にすぐ落下せず、少なくとも一部が前記ウォータリングハウジング８００の上部に落下する。
【０４１５】
前記加湿清浄装置が加湿モードで作動中である場合（ウォータリングハウジングが回転される場合）、上部給水された水は、前記ウォータリングハウジング８００に落ちた後、飛散しつつレインビューを形成する。
【０４１６】
前記加湿清浄装置が停止中である場合または清浄モードで作動中である場合（ウォータリングハウジングが停止された場合）、上部給水された水は、ウォータリングハウジング８００に乗って水槽３００に流動する。
【０４１７】
すなわち、加湿清浄装置の作動と関係なく、上部給水された水が水槽３００の水面に直接落下することを最小化させることができ、これを介して落水騷音を最小化させることができる。
【０４１８】
水の特性上、上部給水された水の中で、吐出加湿媒体ハウジング１４００の底面に沿って流れる水は、水面に直接落下することができる。しかし、これは少量であるため、全体騷音に比べて一部のみを形成する。特に、吐出加湿媒体ハウジング１４００の底面に結ばれた水が、ある程度水が落下した後には加湿流路１０６の空気流動により吐出加湿媒体５５に吸収されることができる。
【０４１９】
前記上部給水された水は、ウォータリングハウジング８００のウォータリングハウジングカバー８６０に落下する。
【０４２０】
前記ウォータリングハウジングカバー８６０に上部給水された水が落下し得るように、給水口１４４５などが形成する直径に比べてウォータリングハウジングカバー８６０の直径がより大きく形成される。
【０４２１】
前記給水口１４４５の下側に前記ウォータリングハウジングカバー８６０が配置される。また、前記アッパーハウジング開口部１４１５及びロアハウジング開口部１４２５の下側に前記ウォータリングハウジングカバー８６０が配置される。
【０４２２】
すなわち、上部給水を介して供給されるほとんどの水は、ウォータリングハウジングカバー８６０に落下する。
【０４２３】
前記ウォータリングハウジング８００が回転中である場合、上部給水された水は、ウォータリングハウジングカバー８６０から半径方向外側に飛散する。上部給水された水を効果的に飛散させるために、ウォータリングハウジングカバー８６０に突起８６１が形成される。前記突起８６１は、ウォータリングハウジングカバー８６０の縁に沿って複数個が配置される。前記突起８６１は、ウォータリングハウジングカバー８６０の半径方向外側に突出される。
【０４２４】
前記ウォータリングハウジング８００の回転の際、上部給水された水は、前記突起８６１から液滴に分離される。
【０４２５】
前記突起８６１から分離された液滴は、ビジュアルボディ２１０の内側面に当たる。このために、前記ウォータリングハウジングカバー８６０は、前記ビジュアルボディ２１０の少なくとも一部と同一水平線上に配置されることが好ましい。飛散する液滴が重力により落下することを考慮するとき、前記ビジュアルボディ２１０の中間高さに位置することが好ましい。
【０４２６】
前記突起８６１は、第２の噴射口４１２、４１３より高く位置する。
【０４２７】
前記突起８６１から飛散した液滴によりレインビューが演出される。上部給水の際に形成されるレインビューを介してユーザは、給水が正常になされていることを確認できる。上部給水は、レインビューのような視覚的な効果だけでなく、飛散した液滴がビジュアルボディ２１０に当たって発生される音を介しても確認することができる。
【０４２８】
上部給水の際に発生されるレインビューサウンドは、噴射口４１０を介してのサウンドとは差がある。上部給水の際に発生されたレインビューサウンドは、揚水を介して発生されたレインビューサウンドより大きく形成され、不規則に形成される。
【０４２９】
一方、上部給水の際、前記ウォータリングハウジングカバー８６０では、様々な大きさの液滴等が飛散する。
【０４３０】
大きい液滴の場合、自重により突起８６１からビジュアルボディ２１０の内側に飛んでいく。大きい液滴の場合、自重により比較的一定の軌跡Ｓ１を形成する。
【０４３１】
前記軌跡Ｓ１は、噴射口４１０から噴射される水の軌跡Ｓ３と相違する。
【０４３２】
前記第２の噴射口４１２、４１３から噴射された水の軌跡Ｓ３は、突起８６１から飛散した軌跡Ｓ１と相違する。前記Ｓ１軌跡がＳ３軌跡より高く形成される。
【０４３３】
小さい液滴の場合、自重による影響よりは、加湿流路１０６に形成された空気流動により大きい影響を受ける。
【０４３４】
これにより、小さい液滴の場合、加湿流路１０６内で浮遊されることができる。送風ファン２４の風圧及び重力の影響を同時に受けるので、軌跡が不規則でありうる。
【０４３５】
小さい液滴の場合、加湿流路１０６で浮遊し、ウォータリングハウジング８００の近傍で引っ張られる現象を演出する。
【０４３６】
前記ウォータリングハウジング８００のウォータリング羽根８５０は、浮遊される液滴を引っ張ることができる。前記ウォータリング羽根８５０による空気流動は、浮遊または飛散した液滴等をウォータリングハウジング８００表面側に引っ張る。
【０４３７】
前記ウォータリング羽根８５０は、ウォータリングハウジングカバー８６０から飛散する液滴等を引張って水膜Ｓ２を形成させることができる。上部給水の際、ウォータリングハウジング８００の周りで発生される水膜は、上部給水される水の量によってそれぞれ異なるように表れることができる。
【０４３８】
ただし、前記水膜は、前記ウォータリングハウジング８００を基準に対称して形成される特徴がある。
【０４３９】
図３０は、噴射口を介しての噴射ラインが表示された例示図であり、図３１は、エアーウォッシュモジュールの空気流動が示された例示図であり、図３２は、第２−１の噴射口を介して噴射された水の軌跡が示された例示図であり、図３３は、第２−２の噴射口を介して噴射された水の軌跡が示された例示図であり、図３４は、上部給水の際、ウォータリングハウジングによる水の軌跡が示された例示図であり、図３５は、上部給水の際、ウォータリング羽根による水の軌跡が示された例示図である。
【０４４０】
前記エアーウォッシュモジュール２００で演出されるレインビューについてより詳細に説明する。前記レインビューは、種々の方法で演出することができる。
【０４４１】
第１に、噴射口から噴射される水を用いてビジュアルボディ内部にレインビューを演出できる。
【０４４２】
第２に、上部給水の際、給水される水を用いてビジュアルボディ内部にレインビューを演出できる。
【０４４３】
レインビューは、窓の外に雨が降るような効果を意味する。レインビューは、雨水が結ばれた効果を意味する。本実施形態では、ビジュアルボディ２１０内部に雨が降るような効果または雨が結ばれた効果が演出される。
【０４４４】
前記レインビューが演出されるとき、様々な大きさの液滴等が形成される。前記ウォータリング羽根８５０、第１の噴射口４１１、第２−１の噴射口４１２、第２−２の噴射口４１３、ウォータリングハウジングカバー８６０、突起８６１、及び送風ファン２４の空気流動は、液滴等を生成するためのレインビュー演出手段である。
【０４４５】
前記第１の噴射口４１１、第２−１の噴射口４１２、及び第２−２の噴射口４１３は、ウォータリングユニット４００で揚水された水を噴射するときに使用される。前記第１の噴射口４１１、第２−１の噴射口４１２、第２−２の噴射口４１３から噴射された水によりレインビューが演出される。
【０４４６】
前記ウォータリングハウジングカバー８６０または突起８６１は、上部給水の際、落下する水を飛散させてレインビューを演出する。
【０４４７】
前記送風ファン２４による風圧または風量は、噴射または飛散した液滴を一層小さい大きさに粉砕することができる。送風ユニット２０により流動した空気は、水槽加湿媒体５１を通過しながら液滴等を一層微細化させることができる。
【０４４８】
前記送風ユニット２０により流動した空気は、加湿流路１０６から落下する空気を微細化させることができる。送風ユニット２０による空気は、重力反対方向に移動されるので、自重により落下する空気と落下する液滴とが当たって微細化されることができる。
【０４４９】
上述したレインビュー演出手段により生成された液滴等は、加湿流路１０６で流動したり浮遊されることができる。前記加湿流路１０６の液滴等は、流動する空気を加湿でき、ビジュアルボディ２１０の内側面に水滴形態で結ばれることができる。
【０４５０】
前記ビジュアルボディ２１０の内側面に結ばれた水滴は、ビジュアルボディ２１０の内側面の傾斜に沿って移動されることができる。
【０４５１】
前記ビジュアルボディ２１０は、水槽３００に向かって傾斜して形成される。前記ビジュアルボディ２１０は、上側の広く、下側が狭く形成される。これにより、ビジュアルボディ２１０に沿って流れる液滴の滞留時間を延長でき、これを介してレインビュー演出時間を延長できる。また、ビジュアルボディ２１０の傾斜を介して結ばれた液滴が下側に流れ落ちることを抑制できる。液滴の表面張力により液滴は、ビジュアルボディ２１０に結ばれた状態で維持されることができる。また、送風ユニット２０の空気流動は、液滴が下側に流れ落ちることを抑制できる。
【０４５２】
また、前記ビジュアルボディ２１０の内側面に撥水コーティングが形成され得る。前記撥水コーティングが形成される場合、液滴が広く広がることを防止でき、液滴の形状をより丸く形成させることができる。
【０４５３】
前記ビジュアルボディ２１０に水が結ばれる場合、ビジュアルボディ２１０に結ばれた水がディスプレイモジュール１６０の表面に投影されたり、反射されることができる。前記ビジュアルボディ２１０で結ばれた水が流れ落ちる場合、前記ディスプレイモジュール１６０にも同じ効果が表れる。
【０４５４】
前記ビジュアルボディ２１０において実際液滴は、傾斜に沿って上側から下側に、外側から内側に移動される。前記ディスプレイモジュール１６０の表面で反射された液滴は、ディスプレイ傾斜と反対に下側から上側に、外側から内側に移動される。
【０４５５】
これにより、ビジュアルボディ２１０及びディスプレイモジュール１６０が会う境界で実際液滴と反射された液滴とが合わせられる現象が演出される。このような演出は、ユーザにレインビューをより効果的に認知させることができる。
【０４５６】
前記レインビューが演出されるとき、エアーウォッシュモジュール２００の周りの空気流動についてより詳細に説明すれば、次のとおりである。
【０４５７】
まず、水槽３００外で流動する空気は、連結流路１０３を介してエアーウォッシュ流入口３１に案内される。前記連結流路１０３を介して流動する空気の流れをアウターメインストリームＯＳと定義する。前記アウターメインストリームＯＳは、連結流路１０３での空気流動であり、水槽３００外の空気の主な流動方向を意味する。
【０４５８】
前記水槽３００の中から吐出口（２３１、本実施形態では、グリル吐出口）に向かって流動する空気の流れをインナーメインストリームＩＳと定義する。前記インナーメインストリームＩＳは、加湿流路１０６内での空気流動であり、水槽３００内の空気の主な流動方向を意味する。
【０４５９】
前記アウターメインストリームＯＳは、下側から上側に形成される。前記インナーメインストリームＩＳも下側から上側に形成される。前記アウターメインストリームＯＳ及びインナーメインストリームＩＳの方向は、同じように形成される。前記アウターメインストリームＯＳ及びインナーメインストリームＩＳを同じ方向に形成させることにより、空気の流動抵抗を最小化させることができる。
【０４６０】
前記アウターメインストリームＯＳ及びインナーメインストリームＩＳ間に前記エアーウォッシュ流入口３１が配置され、前記エアーウォッシュ流入口３１は、前記アウターメインストリームＯＳ及びインナーメインストリームＩＳを連結する。
【０４６１】
前記アウターメインストリームＯＳがエアーウォッシュ流入口３１を通過するとき、空気の流動方向が変更される。前記エアーウォッシュ流入口３１を通過する空気の流れをコネクトストリームＣＳと定義する。前記コネクトストリームＣＳは、水槽３００外から水槽３００内に流動する空気の主な流動方向を意味する。
【０４６２】
前記インナーメインストリームＩＳが吐出流路１０７を通過するとき、空気の流動方向が変更される。前記吐出流路１０７を通過する空気の流れを吐出ストリームＤＳと定義する。前記吐出ストリームＤＳは、水槽３００内からトップカバーアセンブリ２３０外に流動する空気の主な流動方向を意味する。
【０４６３】
前記コネクトストリームＣＳは、前記アウターメインストリームＯＳ及びインナーメインストリームＩＳに対して各々夾角を形成する。
【０４６４】
前記アウターメインストリームＯＳ及びインナーメインストリームＩＳは、下側から上側に流動する。前記アウターメインストリームＯＳ及びインナーメインストリームＩＳは、重力反対方向に流動する。
【０４６５】
前記コネクトストリームＣＳは、水槽３００外から内側に流動する。前記コネクトストリームＣＳは、前記アウターメインストリームＯＳの流動方向に対して０度〜９０度以下の夾角ａを形成する。また、前記コネクトストリームＣＳは、前記インナーメインストリームＩＳの流動方向に対して９０度以上１８０度以下の夾角ｂを形成する。
【０４６６】
前記吐出ストリームＤＳは、水槽３００内から外側に流動する。前記吐出ストリームＤＳは、水槽３００の上側に向かい、半径方向外側に傾斜して形成される。
【０４６７】
前記吐出ストリームＤＳは、前記インナーメインストリームＩＳの流動方向に対して９０度以上１８０度以下の夾角ｃを形成する。
【０４６８】
前記夾角ａ、ｂ、ｃ等は、直線に近く形成させることにより、空気の流動抵抗を最小化できる。
【０４６９】
特に、前記コネクトストリームＣＳは、エアーウォッシュ流入口３１を通過するとき、水槽加湿媒体５１を貫通する。前記水槽加湿媒体５１を貫通するとき、コネクトストリームを形成する空気に加湿が提供される。
【０４７０】
また、前記吐出ストリームＤＳは、吐出流路１０７を通過するとき、吐出加湿媒体５５を貫通する。前記吐出加湿媒体５５を貫通するとき、前記吐出ストリームを形成する空気に加湿が提供される。
【０４７１】
前記インナーメインストリームＩＳは、噴射口４１１、４１２、４１３等から噴射された水の軌跡と交差する。前記インナーメインストリームＩＳと前記噴射された水との軌跡は、直交することができる。
【０４７２】
前記インナーメインストリームＩＳは、ウォータリングハウジングカバー８６０から飛散した水の軌跡とも交差する。前記インナーメインストリームＩＳと飛散した水との軌跡は、直交することができる。
【０４７３】
前記インナーメインストリームＩＳは、ウォータリング羽根８５０から飛散した水の軌跡とも交差する。
【０４７４】
前記インナーメインストリームＩＳとレインビューを演出する各軌跡等が交差するので、加湿された空気を効果的にワッシングすることができる。前記水の軌跡等とインナーメインストリームＩＳとが同じ方向に配置される場合、加湿空気のワッシングが効果的に実現されない。
【０４７５】
特に、ビジュアルボディ２１０に当たった後、微細化された液滴等は、重力方向に落下し、前記インナーメインストリームＩＳは、重力反対方向に移動されるので、加湿空気をより効果的にワッシングすることができる。前記ワッシング過程で追加的な加湿がなされることもできる。
【０４７６】
また、微細化された液滴等が前記インナーメインストリームＩＳにより浮遊されるので、ビジュアルボディ２１０の高さで微細化された液滴等の滞留時間を増加させることができる。
【０４７７】
前記エアーウォッシュモジュール２００の構成を位置として区分するとき、前記エアーウォッシュモジュール２００の下部には水が保存され、前記水を循環させるための構成が配置される。
【０４７８】
これにより、エアーウォッシュモジュール２００の下部にウォータリングハウジング８００が結合され、前記ウォータリングハウジング８００に回転力を伝達するための動力伝達モジュール６００が配置される。
【０４７９】
前記エアーウォッシュモジュール２００の中部には加湿のための構成が配置される。これにより、前記エアーウォッシュモジュール２００の中部にはエアーウォッシュ流入口３１、水槽加湿媒体５１が配置される。
【０４８０】
前記エアーウォッシュモジュール２００の上部には、レインビューのための構成及び吐出／給水のための構成が配置される。これにより、前記エアーウォッシュモジュール２００の上部には、レインビューを演出できる噴射口４１２、４１３、ビジュアルボディ２１０、ウォータリングハウジングカバー８６０などが配置される。特に、前記エアーウォッシュモジュール２００の上部で演出されたレインビューを介して、空気が吐出される前に加湿空気を再度ワッシングすることができる。
【０４８１】
また、前記エアーウォッシュモジュール２００の上部には、空気吐出及び上部給水のためのトップカバーアセンブリ２３０が配置される。
【０４８２】
これにより、前記エアーウォッシュモジュール２００の下部では、保存された水をウォータリングし、中部では、ウォータリングされた水を用いて加湿を提供し、上部では、ウォータリングされた水のうちの一部を用いてレインビューを演出し、加湿空気をワッシングすることができる。
【０４８３】
すなわち、ウォータリング構成の上側に加湿構成を配置し、加湿構成の上側にレインビュー構成を配置し、レインビュー構成の上側に上部給水構成を配置することにより、エアーウォッシュモジュール２００の各機能が効率的に機能することができる。
【０４８４】
ウォータリング−加湿−レインビュー−上部給水の順次配置または積層構造を介してエアーウォッシュモジュール２００の各機能が効率的に作動される。
【０４８５】
以上では、本発明の好ましい実施形態について図示し説明したが、本発明は、上述した特定の実施形態に限定されず、特許請求の範囲で請求する本発明の要旨を逸脱せず、当該発明の属する技術分野における通常の知識を有する者により様々な変形実施が可能であることはもちろんであり、このような変形実施等は、本発明の技術的思想や展望から個別的に理解されてはならないであろう。
【図１】
2018532096.tif 000003
【図２】
2018532096.tif 000004
【図３】
2018532096.tif 000005
【図４】
2018532096.tif 000006
【図５】
2018532096.tif 000007
【図６】
2018532096.tif 000008
【図７】
2018532096.tif 000009
【図８】
2018532096.tif 000010
【図９】
2018532096.tif 000011
【図１０】
2018532096.tif 000012
【図１１】
2018532096.tif 000013
【図１２】
2018532096.tif 000014
【図１３】
2018532096.tif 000015
【図１４】
2018532096.tif 000016
【図１５】
2018532096.tif 000017
【図１６】
2018532096.tif 000018
【図１７】
2018532096.tif 000019
【図１８】
2018532096.tif 000020
【図１９】
2018532096.tif 000021
【図２０】
2018532096.tif 000022
【図２１】
2018532096.tif 000023
【図２２】
2018532096.tif 000024
【図２３】
2018532096.tif 000025
【図２４】
2018532096.tif 000026
【図２５】
2018532096.tif 000027
【図２６】
2018532096.tif 000028
【図２７】
2018532096.tif 000029
【図２８】
2018532096.tif 000030
【図２９】
2018532096.tif 000031
【図３０】
2018532096.tif 000032
【図３１】
2018532096.tif 000033
【図３２】
2018532096.tif 000034
【図３３】
2018532096.tif 000035
【図３４】
2018532096.tif 000036
【図３５】
2018532096.tif 000037
【国際調査報告】
2018532096.tif 000038
2018532096.tif 000039
2018532096.tif 000040
2018532096.tif 000041